(57)【要約】  本発明の実施例は、上りリンク情報送信方法、端末デバイス及びアクセスネットワークデバイスを提供する。当該方法は、端末デバイスにより、ターゲットキャリアの第１のシンボルセット上で上りリンク情報を送出するための指示情報を取得するステップと、端末デバイスにより、第１のシンボルセットにより占有される時間内の第２の時間内に上りリンク情報を送出するステップとを含む。第２の時間は、第１の時間以外の第１のシンボルセットにより占有される時間内の時間であり、端末デバイスが上りリンク情報を送出するためにターゲットキャリアのチャネルにアクセスすることを許可される時間である。
2019512988.tif 000002
【特許請求の範囲】
【請求項１】
上りリンク情報送信方法であって、
端末デバイスにより、ターゲットキャリアの第１のシンボルセット上で上りリンク情報を送出するための指示情報を取得するステップと、
前記端末デバイスにより、前記第１のシンボルセットにより占有される時間内の第２の時間内に前記上りリンク情報を送出するステップであり、前記第２の時間は、第１の時間以外の前記第１のシンボルセットにより占有される前記時間内の時間であり、前記第２の時間は、前記端末デバイスが前記上りリンク情報を送出するために前記ターゲットキャリアのチャネルにアクセスすることを許可される時間である、ステップと
を含み、
前記第１のシンボルセットの前に第２のシンボルセットが存在し、前記第２のシンボルセット内の最後のシンボルは、前記第１のシンボルセット内の最初のシンボルに時間において隣接し、前記第２のシンボルセット及び前記第１のシンボルセットは、前記端末デバイスが前記上りリンク情報を送出するようにスケジューリングされるシンボルセットである、方法。
【請求項２】
前記第１の時間は、前記第１のシンボルセット内の最初のシンボル又は最初の２つのシンボルにより占有される時間である、請求項１に記載の方法。
【請求項３】
前記端末デバイスにより、前記第１のシンボルセットにより占有される時間内の第２の時間内に前記上りリンク情報を送出する前に、
前記端末デバイスにより、前記第１の時間の全部又は一部の中で、前記端末デバイスが前記ターゲットキャリアの前記チャネルにアクセスすることを許可されることを検出するステップを更に含む、請求項１又は２に記載の方法。
【請求項４】
前記端末デバイスは、前記第２のシンボルセット上で上りリンク情報を送出しない、請求項１乃至３のうちいずれか１項に記載の方法。
【請求項５】
前記第１のシンボルセットは、前記第１のシンボルセットが位置する上りリンクサブフレーム内において参照シンボルセット内のシンボルを含むか、或いは
前記第１のシンボルセットは、前記第１のシンボルセットが位置する上りリンクサブフレーム内において参照シンボルセット内のシンボルを含まず、前記第１のシンボルセットが位置する前記上りリンクサブフレーム内において前記参照シンボルセットの後に少なくとも１つのシンボルを含まず、
前記参照シンボルセット内の前記シンボルは、前記第１のシンボルセットが位置する前記上りリンクサブフレーム内にあり且つ前記端末デバイス又は他の端末デバイスが前記ターゲットキャリアの前記チャネルにアクセスすることを許可されるか否かを検出するために前記端末デバイス又は前記他の端末デバイスにより使用される時間により占有されるシンボルである、請求項４に記載の方法。
【請求項６】
前記上りリンク情報は、サウンディング参照信号SRS及び／又は物理上りリンク共有チャネルPUSCHを含む、請求項１乃至５のうちいずれか１項の方法。
【請求項７】
上りリンク情報送信方法であって、
アクセスネットワークデバイスにより、端末デバイスに対して、ターゲットキャリアの第１のシンボルセット上で上りリンク情報を送出するように命令するために使用される指示情報を送出するステップと、
前記アクセスネットワークデバイスにより、前記第１のシンボルセットにより占有される時間内の第２の時間内に前記上りリンク情報を受信するステップであり、前記第２の時間は、第１の時間以外の前記第１のシンボルセットにより占有される前記時間内の時間であり、前記第２の時間は、前記端末デバイスが前記上りリンク情報を送出するために前記ターゲットキャリアのチャネルにアクセスすることを許可される時間である、ステップと
を含み、
前記第１のシンボルセットの前に第２のシンボルセットが存在し、前記第２のシンボルセット内の最後のシンボルは、前記第１のシンボルセット内の最初のシンボルに時間において隣接し、前記第２のシンボルセット及び前記第１のシンボルセットは、前記アクセスネットワークデバイスが前記上りリンク情報を送出するように前記端末デバイスをスケジューリングするシンボルセットである、方法。
【請求項８】
前記第１の時間は、前記第１のシンボルセット内の最初のシンボル又は最初の２つのシンボルにより占有される時間である、請求項７に記載の方法。
【請求項９】
前記アクセスネットワークデバイスにより、前記端末デバイスが前記第２のシンボルセット上で上りリンク情報を送出しないと決定するステップを更に含む、請求項７又は８に記載の方法。
【請求項１０】
前記第１のシンボルセットは、前記第１のシンボルセットが位置する上りリンクサブフレーム内において参照シンボルセット内のシンボルを含むか、或いは
前記第１のシンボルセットは、前記第１のシンボルセットが位置する上りリンクサブフレーム内において参照シンボルセット内のシンボルを含まず、前記第１のシンボルセットが位置する前記上りリンクサブフレーム内において前記参照シンボルセットの後に少なくとも１つのシンボルを含まず、
前記参照シンボルセット内の前記シンボルは、前記第１のシンボルセットが位置する前記上りリンクサブフレーム内にあり且つ前記端末デバイス又は他の端末デバイスが前記ターゲットキャリアの前記チャネルにアクセスすることを許可されるか否かを検出するために前記端末デバイス又は前記他の端末デバイスにより使用される時間により占有されるシンボルである、請求項９に記載の方法。
【請求項１１】
前記上りリンク情報は、サウンディング参照信号SRS及び／又は物理上りリンク共有チャネルPUSCHを含む、請求項７乃至１０のうちいずれか１項に記載の方法。
【請求項１２】
上りリンク情報送信方法であって、
端末デバイスにより、ターゲットキャリアの第１のシンボルセット上で第１の上りリンク情報を送出するための第１の指示情報を取得するステップと、
前記端末デバイスにより、前記第１のシンボルセット上で前記第１の上りリンク情報を送出するステップと
を含み、
前記第１のシンボルセットの前にあり且つアクセスネットワークデバイスが第２の上りリンク情報を送出するように前記端末デバイスをスケジューリングするシンボルセットである少なくとも１つのシンボルセットが存在し、前記少なくとも１つのシンボルセットに含まれるシンボル内の最後のシンボルは、前記第１のシンボルセット内の最初のシンボルに時間において隣接する、方法。
【請求項１３】
前記端末デバイスにより、前記第１のシンボルセット上で前記第１の上りリンク情報を送出する前に、
前記端末デバイスにより、前記第１のシンボルセット内の最初のシンボルの前のシンボル1内の第１の時間内に、前記端末デバイスが前記ターゲットキャリアのチャネルにアクセスすることを許可されることを検出するステップを更に含む、請求項１２に記載の方法。
【請求項１４】
前記少なくとも１つのシンボルセットは第２のシンボルセットを含み、前記第２のシンボルセットは、前記アクセスネットワークデバイスが、第２の指示情報を使用することにより、前記端末デバイスに対して、前記第２の上りリンク情報を送出するように命令するシンボルセットであり、前記第２のシンボルセットが位置する上りリンクサブフレームはシンボル2を含み、前記シンボル2内の第２の時間は、前記第２のシンボルセットが位置する前記上りリンクサブフレーム内にあり且つ前記端末デバイス又は他の端末デバイスが前記ターゲットキャリアの前記チャネルにアクセスすることを許可されるか否かを検出するために前記端末デバイス又は前記他の端末デバイスにより使用される時間であり、前記シンボル2は、前記第２のシンボルセット内のシンボルと重複しない、請求項１２又は１３に記載の方法。
【請求項１５】
前記端末デバイスは、前記第２の時間内に、前記端末デバイスが前記ターゲットキャリアの前記チャネルにアクセスすることを許可されないことを検出するか、或いは
前記端末デバイスは、前記第２の指示情報を受信しない、請求項１４に記載の方法。
【請求項１６】
前記シンボル1は、前記第１のシンボルセット内の最初のシンボルに時間において隣接する、請求項１４又は１５に記載の方法。
【請求項１７】
前記第１の上りリンク情報は、サウンディング参照信号SRS及び／又は物理上りリンク共有チャネルPUSCHを含み、及び／又は前記第２の上りリンク情報は、SRS及び／又はPUSCHを含む、請求項１２乃至１６のうちいずれか１項に記載の方法。
【請求項１８】
上りリンク情報送信方法であって、
アクセスネットワークデバイスにより、端末デバイスに対して、ターゲットキャリアの第１のシンボルセット上で第１の上りリンク情報を送出するように命令するために使用される第１の指示情報を送出するステップと、
前記アクセスネットワークデバイスにより、前記第１のシンボルセット上で前記第１の上りリンク情報を受信するステップと
を含み、
前記第１のシンボルセットの前にあり且つ前記アクセスネットワークデバイスが第２の上りリンク情報を送出するように前記端末デバイスをスケジューリングするシンボルセットである少なくとも１つのシンボルセットが存在し、前記少なくとも１つのシンボルセットに含まれるシンボル内の最後のシンボルは、前記第１のシンボルセット内の最初のシンボルに時間において隣接する、方法。
【請求項１９】
前記アクセスネットワークデバイスにより、前記端末デバイスが前記少なくとも１つのシンボルセット又は前記第１のシンボルセットに隣接するシンボルセット上で上りリンク情報を送出しないと決定するステップを更に含む、請求項１８に記載の方法。
【請求項２０】
前記少なくとも１つのシンボルセットは第２のシンボルセットを含み、前記第２のシンボルセットは、前記アクセスネットワークデバイスが、第２の指示情報を使用することにより、前記端末デバイスに対して、前記第２の上りリンク情報を送出するように命令するシンボルセットであり、前記第２のシンボルセットが位置する上りリンクサブフレームはシンボル2を含み、前記シンボル2内の第２の時間の全部又は一部は、前記第２のシンボルセットが位置する前記上りリンクサブフレーム内にあり且つ前記端末デバイス又は他の端末デバイスが前記ターゲットキャリアのチャネルにアクセスすることを許可されるか否かを検出するために前記端末デバイス又は前記他の端末デバイスにより使用される時間であり、前記シンボル2は、前記第２のシンボルセット内のシンボルと重複しない、請求項１８又は１９に記載の方法。
【請求項２１】
前記第１の上りリンク情報は、サウンディング参照信号SRS及び／又は物理上りリンク共有チャネルPUSCHを含み、及び／又は前記第２の上りリンク情報は、SRS及び／又はPUSCHを含む、請求項１８乃至２０のうちいずれか１項に記載の方法。
【請求項２２】
端末デバイスであって、
ターゲットキャリアの第１のシンボルセット上で上りリンク情報を送出するための指示情報を取得するように構成された受信モジュールと、
前記第１のシンボルセットにより占有される時間内の第２の時間内に前記上りリンク情報を送出するように構成された送出モジュールであり、前記第２の時間は、第１の時間以外の前記第１のシンボルセットにより占有される前記時間内の時間であり、前記第２の時間は、前記端末デバイスが前記上りリンク情報を送出するために前記ターゲットキャリアのチャネルにアクセスすることを許可される時間である、送出モジュールと
を含み、
前記第１のシンボルセットの前に第２のシンボルセットが存在し、前記第２のシンボルセット内の最後のシンボルは、前記第１のシンボルセット内の最初のシンボルに時間において隣接し、前記第２のシンボルセット及び前記第１のシンボルセットは、前記端末デバイスが前記上りリンク情報を送出するようにスケジューリングされるシンボルセットである、端末デバイス。
【請求項２３】
前記第１の時間は、前記第１のシンボルセット内の最初のシンボル又は最初の２つのシンボルにより占有される時間である、請求項２２に記載の端末デバイス。
【請求項２４】
前記送出モジュールが前記第１のシンボルセットにより占有される前記時間内の前記第２の時間内に前記上りリンク情報を送出する前に、前記第１の時間の全部又は一部の中で、前記端末デバイスが前記ターゲットキャリアの前記チャネルにアクセスすることを許可されることを検出するように構成された処理モジュールを更に含む、請求項２２又は２３に記載の端末デバイス。
【請求項２５】
前記送出モジュールは、前記第２のシンボルセット上で上りリンク情報を送出しない、請求項２２乃至２４のうちいずれか１項に記載の端末デバイス。
【請求項２６】
前記第１のシンボルセットは、前記第１のシンボルセットが位置する上りリンクサブフレーム内において参照シンボルセット内のシンボルを含むか、或いは
前記第１のシンボルセットは、前記第１のシンボルセットが位置する上りリンクサブフレーム内において参照シンボルセット内のシンボルを含まず、前記第１のシンボルセットが位置する前記上りリンクサブフレーム内において前記参照シンボルセットの後に少なくとも１つのシンボルを含まず、
前記参照シンボルセット内の前記シンボルは、前記第１のシンボルセットが位置する前記上りリンクサブフレーム内にあり且つ前記端末デバイス又は他の端末デバイスが前記ターゲットキャリアの前記チャネルにアクセスすることを許可されるか否かを検出するために前記処理モジュール又は前記他の端末デバイスにより使用される時間により占有されるシンボルである、請求項２５に記載の端末デバイス。
【請求項２７】
前記上りリンク情報は、サウンディング参照信号SRS及び／又は物理上りリンク共有チャネルPUSCHを含む、請求項２２乃至２６のうちいずれか１項に記載の端末デバイス。
【請求項２８】
アクセスネットワークデバイスであって、
端末デバイスに対して、ターゲットキャリアの第１のシンボルセット上で上りリンク情報を送出するように命令するために使用される指示情報を送出するように構成された送出モジュールと、
前記第１のシンボルセットにより占有される時間内の第２の時間内に前記上りリンク情報を受信するように構成された受信モジュールであり、前記第２の時間は、第１の時間以外の前記第１のシンボルセットにより占有される前記時間内の時間であり、前記第２の時間は、前記端末デバイスが前記上りリンク情報を送出するために前記ターゲットキャリアのチャネルにアクセスすることを許可される時間である、受信モジュールと
を含み、
前記第１のシンボルセットの前に第２のシンボルセットが存在し、前記第２のシンボルセット内の最後のシンボルは、前記第１のシンボルセット内の最初のシンボルに時間において隣接し、前記第２のシンボルセット及び前記第１のシンボルセットは、前記アクセスネットワークデバイスが前記上りリンク情報を送出するように前記端末デバイスをスケジューリングするシンボルセットである、アクセスネットワークデバイス。
【請求項２９】
前記第１の時間は、前記第１のシンボルセット内の最初のシンボル又は最初の２つのシンボルにより占有される時間である、請求項２８に記載のアクセスネットワークデバイス。
【請求項３０】
前記端末デバイスが前記第２のシンボルセット上で上りリンク情報を送出しないと決定するように構成された処理モジュールを更に含む、請求項２８又は２９に記載のアクセスネットワークデバイス。
【請求項３１】
前記第１のシンボルセットは、前記第１のシンボルセットが位置する上りリンクサブフレーム内において参照シンボルセット内のシンボルを含むか、或いは
前記第１のシンボルセットは、前記第１のシンボルセットが位置する上りリンクサブフレーム内において参照シンボルセット内のシンボルを含まず、前記第１のシンボルセットが位置する前記上りリンクサブフレーム内において前記参照シンボルセットの後に少なくとも１つのシンボルを含まず、
前記参照シンボルセット内の前記シンボルは、前記第１のシンボルセットが位置する前記上りリンクサブフレーム内にあり且つ前記端末デバイス又は他の端末デバイスが前記ターゲットキャリアの前記チャネルにアクセスすることを許可されるか否かを検出するために前記端末デバイス又は前記他の端末デバイスにより使用される時間により占有されるシンボルである、請求項３０に記載のアクセスネットワークデバイス。
【請求項３２】
前記上りリンク情報は、サウンディング参照信号SRS及び／又は物理上りリンク共有チャネルPUSCHを含む、請求項２８乃至３１のうちいずれか１項に記載のアクセスネットワークデバイス。
【請求項３３】
端末デバイスであって、
ターゲットキャリアの第１のシンボルセット上で第１の上りリンク情報を送出するための第１の指示情報を取得するように構成された受信モジュールと、
前記第１のシンボルセット上で前記第１の上りリンク情報を送出するように構成された送出モジュールと
を含み、
前記第１のシンボルセットの前にあり且つアクセスネットワークデバイスが第２の上りリンク情報を送出するように前記端末デバイスをスケジューリングするシンボルセットである少なくとも１つのシンボルセットが存在し、前記少なくとも１つのシンボルセットに含まれるシンボル内の最後のシンボルは、前記第１のシンボルセット内の最初のシンボルに時間において隣接する、端末デバイス。
【請求項３４】
前記送出モジュールが前記第１のシンボルセット上で前記第１の上りリンク情報を送出する前に、前記第１のシンボルセット内の最初のシンボルの前のシンボル1内の第１の時間内に、前記端末デバイスが前記ターゲットキャリアのチャネルにアクセスすることを許可されることを検出するように構成された処理モジュールを更に含む、請求項３３に記載の端末デバイス。
【請求項３５】
前記少なくとも１つのシンボルセットは第２のシンボルセットを含み、前記第２のシンボルセットは、前記アクセスネットワークデバイスが、第２の指示情報を使用することにより、前記端末デバイスに対して、前記第２の上りリンク情報を送出するように命令するシンボルセットであり、前記第２のシンボルセットが位置する上りリンクサブフレームはシンボル2を含み、前記シンボル2内の第２の時間は、前記第２のシンボルセットが位置する前記上りリンクサブフレーム内にあり且つ前記端末デバイス又は他の端末デバイスが前記ターゲットキャリアの前記チャネルにアクセスすることを許可されるか否かを検出するために前記処理モジュール又は前記他の端末デバイスにより使用される時間であり、前記シンボル2は、前記第２のシンボルセット内のシンボルと重複しない、請求項３３又は３４に記載の端末デバイス。
【請求項３６】
前記処理モジュールは、前記第２の時間内に、前記端末デバイスが前記ターゲットキャリアの前記チャネルにアクセスすることを許可されないことを検出するか、或いは
前記受信モジュールは、前記第２の指示情報を受信しない、請求項３５に記載の端末デバイス。
【請求項３７】
前記第１のシンボルは、前記第１のシンボルセット内の最初のシンボルに時間において隣接する、請求項３５又は３６に記載の端末デバイス。
【請求項３８】
前記第１の上りリンク情報は、サウンディング参照信号SRS及び／又は物理上りリンク共有チャネルPUSCHを含み、及び／又は前記第２の上りリンク情報は、SRS及び／又はPUSCHを含む、請求項３３乃至３７のうちいずれか１項に記載の端末デバイス。
【請求項３９】
アクセスネットワークデバイスであって、
端末デバイスに対して、ターゲットキャリアの第１のシンボルセット上で第１の上りリンク情報を送出するように命令するために使用される第１の指示情報を送出するように構成された送出モジュールと、
前記第１のシンボルセット上で前記第１の上りリンク情報を受信するように構成された受信モジュールと
を含み、
前記第１のシンボルセットの前にあり且つ前記アクセスネットワークデバイスが第２の上りリンク情報を送出するように前記端末デバイスをスケジューリングするシンボルセットである少なくとも１つのシンボルセットが存在し、前記少なくとも１つのシンボルセットに含まれるシンボル内の最後のシンボルは、前記第１のシンボルセット内の最初のシンボルに時間において隣接する、アクセスネットワークデバイス。
【請求項４０】
前記端末デバイスが前記少なくとも１つのシンボルセット又は前記第１のシンボルセットに隣接するシンボルセット上で上りリンク情報を送出しないと決定するように構成された処理モジュールを更に含む、請求項３９に記載のアクセスネットワークデバイス。
【請求項４１】
前記少なくとも１つのシンボルセットは第２のシンボルセットを含み、前記第２のシンボルセットは、前記アクセスネットワークデバイスが、第２の指示情報を使用することにより、前記端末デバイスに対して、前記第２の上りリンク情報を送出するように命令するシンボルセットであり、前記第２のシンボルセットが位置する上りリンクサブフレームはシンボル2を含み、前記シンボル2内の第２の時間の全部又は一部は、前記第２のシンボルセットが位置する前記上りリンクサブフレーム内にあり且つ前記端末デバイス又は他の端末デバイスが前記ターゲットキャリアのチャネルにアクセスすることを許可されるか否かを検出するために前記端末デバイス又は前記他の端末デバイスにより使用される時間であり、前記シンボル2は、前記第２のシンボルセット内のシンボルと重複しない、請求項３９又は４０に記載のアクセスネットワークデバイス。
【請求項４２】
前記第１の上りリンク情報は、サウンディング参照信号SRS及び／又は物理上りリンク共有チャネルPUSCHを含み、及び／又は前記第２の上りリンク情報は、SRS及び／又はPUSCHを含む、請求項３９乃至４１のうちいずれか１項に記載のアクセスネットワークデバイス。
【発明の詳細な説明】
【技術分野】
【０００１】
本発明は、通信技術の分野に関し、特に上りリンク情報送信方法、端末デバイス及びアクセスネットワークデバイスに関する。
【背景技術】
【０００２】
ロングタームエボリューション（Long  Term  Evolution,  略称LTE)システムにおける上りリンクサービスの送信は、アクセスネットワークデバイスに基づいてスケジューリングされる。スケジューリングの基本時間単位はサブフレーム（subframe）であり、１つのサブフレームは複数の時間領域シンボルを含む。具体的なスケジューリング手順は以下の通りである。アクセスネットワークデバイス、例えば、基地局（eNodeB）は制御チャネルを端末デバイスに送出する。制御チャネルは、物理上りリンク共有チャネル（Physical  Uplink  Shared  Channel,  略称PUSCH）のスケジューリング情報を搬送してもよく、スケジューリング情報は、リソース割り当て情報並びに調整及び符号化方式のような制御情報を含む。端末デバイスは、制御チャネル内で搬送されたスケジューリング情報を検出することにより、下りリンクデータを受信するか、或いは上りリンク情報を送出する。上りリンクサブフレーム内で端末デバイスにより送出される上りリンク情報チャネルはPUSCHである。LTEシステムでは、アクセスネットワークデバイスは、端末デバイスにより送出されたサウンディング参照信号（Sounding  Reference  Signal,  略称SRS）を使用することにより、異なる周波数帯域内の上りリンクチャネル品質を推定する。
【０００３】
アンライセンススペクトルリソース上では、複数の通信システムの複数のオペレータが同じスペクトルを占有することを望む場合が存在する。複数の通信システムがアンライセンススペクトルリソースを占有する際に互いに影響を与えない共存特性を実現するために、アンライセンススペクトルリソース上でデータを送出する前に、端末デバイスは、まず、チャネルがアイドルであるか否かを監視する。チャネルがアイドルである場合、端末デバイスは、アンライセンススペクトルリソース上でチャネルを使用してもよい。端末デバイスは、エネルギー検出を通じたクリアチャネル評価（Clear  Channel  Assessment,  CCA）を実行し、チャネルがアイドルであるか否かを検出してもよい。
【０００４】
従来技術では、アンライセンススペクトルリソース上で端末デバイスにより上りリンク情報を送出するための方法は以下の通りである。アクセスネットワークが複数の連続する上りリンクサブフレーム内で上りリンク情報を送出するように端末デバイスをスケジューリングした場合、端末デバイスは、スケジューリングされた複数の連続する上りリンクサブフレーム内の最初のもので上りリンク情報を送出する前に、CCAを実行する。検出結果が、端末デバイスがチャネルにアクセスすることを許可されないというものである場合、端末デバイスは、次の１つ以上の連続する上りリンクサブフレーム内で上りリンク情報を送出できない。しかし、実際には、その後の上りリンクサブフレーム内で、端末デバイスは、上りリンク情報を送出するために、アンライセンススペクトル上でチャネルにアクセスする機会を有する。したがって、当該方法は、アンライセンススペクトルリソースの使用効率に影響を与える。
【発明の概要】
【０００５】
本発明の実施例は、時間において連続する上りリンク情報のための端末デバイスの複数の送信チャネルが、端末デバイスがチャネルにアクセスすることを許可されるか否かを検出するための１つの検出を共有するとき、最初の送信チャネルの前のチャネル検出結果が、端末デバイスがチャネルにアクセスすることを許可されないというものである場合、端末デバイスが上りリンク情報を送出するためにその後の送信チャネルにアクセスすることを試みてもよく、それにより、チャネル使用効率を改善するような上りリンク情報送信方法、端末デバイス及びアクセスネットワークデバイスを提供する。
【０００６】
第１の態様によれば、本発明の実施例は、上りリンク情報送信方法を提供し、
端末デバイスにより、ターゲットキャリアの第１のシンボルセット上で上りリンク情報を送出するための指示情報を取得するステップと、端末デバイスにより、第１のシンボルセットにより占有される時間内の第２の時間内に上りリンク情報を送出するステップであり、第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である、ステップとを含む。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、端末デバイスが上りリンク情報を送出するようにスケジューリングされるシンボルセットである。したがって、上りリンク情報のための複数の送信チャネルが、端末デバイスがチャネルにアクセスすることを許可されるか否かを検出するための１つの検出を共有するとき、最初の送信チャネルの前のチャネル検出結果が、端末デバイスがチャネルにアクセスすることを許可されないというものである場合、端末デバイスは、上りリンク情報を送出するために最初の送信チャネルの後の送信チャネルにアクセスすることを試みてもよく、それにより、チャネル使用効率を改善する。
【０００７】
可能な設計では、第１の時間は、第１のシンボルセット内の最初のシンボル又は最初の２つのシンボルにより占有される時間である。
【０００８】
さらに、端末デバイスにより、第１のシンボルセットにより占有される時間内の第２の時間内に上りリンク情報を送出する前に、当該方法は、
端末デバイスにより、第１の時間の全部又は一部の中で、端末デバイスがターゲットキャリアのチャネルにアクセスすることを許可されることを検出するステップを更に含む。
【０００９】
可能な設計では、端末デバイスは、第２のシンボルセット上で上りリンク情報を送出しない。
【００１０】
可能な設計では、第１のシンボルセットは、第１のシンボルセットが位置する上りリンクサブフレーム内において参照シンボルセット内のシンボルを含むか、或いは
第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まず、
参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間により占有されるシンボルである。
【００１１】
具体的には、上りリンク情報は、サウンディング参照信号SRS及び／又は物理上りリンク共有チャネルPUSCHを含む。
【００１２】
第２の態様によれば、本発明の実施例は、上りリンク情報送信方法を提供し、
アクセスネットワークデバイスにより、端末デバイスに対して、ターゲットキャリアの第１のシンボルセット上で上りリンク情報を送出するように命令するために使用される指示情報を送出するステップと、アクセスネットワークデバイスにより、第１のシンボルセットにより占有される時間内の第２の時間内に上りリンク情報を受信するステップであり、第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である、ステップとを含む。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、アクセスネットワークデバイスが上りリンク情報を送出するように端末デバイスをスケジューリングするシンボルセットである。したがって、上りリンク情報のための複数の送信チャネルが、端末デバイスがチャネルにアクセスすることを許可されるか否かを検出するための１つの検出を共有するとき、最初の送信チャネルの前のチャネル検出結果が、端末デバイスがチャネルにアクセスすることを許可されないというものである場合、端末デバイスは、上りリンク情報を送出するために最初の送信チャネルの後の送信チャネルにアクセスすることを試みてもよく、それにより、チャネル使用効率を改善する。
【００１３】
可能な設計では、第１の時間は、第１のシンボルセット内の最初のシンボル又は最初の２つのシンボルにより占有される時間である。
【００１４】
さらに、当該方法は、
アクセスネットワークデバイスにより、端末デバイスが第２のシンボルセット上で上りリンク情報を送出しないと決定するステップを更に含む。
【００１５】
可能な設計では、第１のシンボルセットは、第１のシンボルセットが位置する上りリンクサブフレーム内において参照シンボルセット内のシンボルを含むか、或いは
第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まず、
参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間により占有されるシンボルである。
【００１６】
具体的には、上りリンク情報は、サウンディング参照信号SRS及び／又は物理上りリンク共有チャネルPUSCHを含む。
【００１７】
第３の態様によれば、本発明の実施例は、上りリンク情報送信方法を提供し、
端末デバイスにより、ターゲットキャリアの第１のシンボルセット上で第１の上りリンク情報を送出するための第１の指示情報を取得するステップと、端末デバイスにより、第１のシンボルセット上で第１の上りリンク情報を送出するステップとを含み、第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。したがって、アクセスネットワークデバイスにより端末デバイスに対してスケジューリングされる複数のシンボルセットが１つのチャネル検出を共有するとき、前のシンボルセットのチャネル検出結果が、端末デバイスがチャネルにアクセスすることを許可されないというものである場合、端末デバイスは、次のシンボルセット上で上りリンク情報を送出することを更に試みてもよく、それにより、チャネル使用効率を改善する。
【００１８】
可能な設計では、端末デバイスにより、第１のシンボルセット上で第１の上りリンク情報を送出する前に、当該方法は、
端末デバイスにより、第１のシンボルセット内の最初のシンボルの前のシンボル1内の第１の時間内に、端末デバイスがターゲットキャリアのチャネルにアクセスすることを許可されることを検出するステップを更に含む。
【００１９】
任意選択で、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットであり、第２のシンボルセットが位置する上りリンクサブフレームはシンボル2を含み、シンボル2内の第２の時間は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間であり、シンボル2は、第２のシンボルセット内のシンボルと重複しない。
【００２０】
可能な設計では、端末デバイスは、第２の時間内に、端末デバイスがターゲットキャリアのチャネルにアクセスすることを許可されないことを検出するか、或いは
端末デバイスは、第２の指示情報を受信しない。
【００２１】
可能な設計では、シンボル1は、第１のシンボルセット内の最初のシンボルに時間において隣接する。
【００２２】
具体的には、第１の上りリンク情報は、サウンディング参照信号SRS及び／又は物理上りリンク共有チャネルPUSCHを含み、及び／又は第２の上りリンク情報は、SRS及び／又はPUSCHを含む。
【００２３】
第４の態様によれば、本発明の実施例は、上りリンク情報送信方法を提供し、
アクセスネットワークデバイスにより、端末デバイスに対して、ターゲットキャリアの第１のシンボルセット上で第１の上りリンク情報を送出するように命令するために使用される第１の指示情報を送出するステップと、アクセスネットワークデバイスにより、第１のシンボルセット上で第１の上りリンク情報を受信するステップとを含む。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。したがって、アクセスネットワークデバイスにより端末デバイスに対してスケジューリングされる複数のシンボルセットが１つのチャネル検出を共有するとき、前のシンボルセットのチャネル検出結果が、端末デバイスがチャネルにアクセスすることを許可されないというものである場合、端末デバイスは、次のシンボルセット上で上りリンク情報を送出することを更に試みてもよく、それにより、チャネル使用効率を改善する。
【００２４】
可能な設計では、当該方法は、
アクセスネットワークデバイスにより、端末デバイスが少なくとも１つのシンボルセット又は第１のシンボルセットに隣接するシンボルセット上で上りリンク情報を送出しないと決定するステップを更に含む。
【００２５】
可能な設計では、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間の全部又は一部は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間であり、シンボル2は、第２のシンボルセット内のシンボルと重複しない。
【００２６】
具体的には、第１の上りリンク情報は、サウンディング参照信号SRS及び／又は物理上りリンク共有チャネルPUSCHを含み、及び／又は第２の上りリンク情報は、SRS及び／又はPUSCHを含む。
【００２７】
第５の態様によれば、本発明の実施例は、端末デバイスを提供し、
ターゲットキャリアの第１のシンボルセット上で上りリンク情報を送出するための指示情報を取得するように構成された受信モジュールと、第１のシンボルセットにより占有される時間内の第２の時間内に上りリンク情報を送出するように構成された送出モジュールであり、第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である、送出モジュールとを含む。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、端末デバイスが上りリンク情報を送出するようにスケジューリングされるシンボルセットである。
【００２８】
可能な設計では、第１の時間は、第１のシンボルセット内の最初のシンボル又は最初の２つのシンボルにより占有される時間である。
【００２９】
可能な設計では、当該方法は、
送出モジュールが第１のシンボルセットにより占有される時間内の第２の時間内に上りリンク情報を送出する前に、第１の時間の全部又は一部の中で、端末デバイスがターゲットキャリアのチャネルにアクセスすることを許可されることを検出するように構成された処理モジュールを更に含む。
【００３０】
可能な設計では、送出モジュールは、第２のシンボルセット上で上りリンク情報を送出しない。
【００３１】
可能な設計では、第１のシンボルセットは、第１のシンボルセットが位置する上りリンクサブフレーム内において参照シンボルセット内のシンボルを含むか、或いは
第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まず、参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために処理モジュール又は他の端末デバイスにより使用される時間により占有される時間である。
【００３２】
具体的には、上りリンク情報は、サウンディング参照信号SRS及び／又は物理上りリンク共有チャネルPUSCHを含む。
【００３３】
第６の態様によれば、本発明の実施例は、アクセスネットワークデバイスを提供し、
端末デバイスに対して、ターゲットキャリアの第１のシンボルセット上で上りリンク情報を送出するように命令するために使用される指示情報を送出するように構成された送出モジュールと、第１のシンボルセットにより占有される時間内の第２の時間内に上りリンク情報を受信するように構成された受信モジュールであり、第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である、受信モジュールとを含む。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、アクセスネットワークデバイスが上りリンク情報を送出するように端末デバイスをスケジューリングするシンボルセットである。
【００３４】
可能な設計では、第１の時間は、第１のシンボルセット内の最初のシンボル又は最初の２つのシンボルにより占有される時間である。
【００３５】
可能な設計では、当該方法は、
端末デバイスが第２のシンボルセット上で上りリンク情報を送出しないと決定するように構成された処理モジュールを更に含む。
【００３６】
可能な設計では、第１のシンボルセットは、第１のシンボルセットが位置する上りリンクサブフレーム内において参照シンボルセット内のシンボルを含むか、或いは
第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まず、
参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間により占有されるシンボルである。
【００３７】
具体的には、上りリンク情報は、サウンディング参照信号SRS及び／又は物理上りリンク共有チャネルPUSCHを含む。
【００３８】
第７の態様によれば、本発明の実施例は、端末デバイスを提供し、
ターゲットキャリアの第１のシンボルセット上で第１の上りリンク情報を送出するための第１の指示情報を取得するように構成された受信モジュールと、第１のシンボルセット上で第１の上りリンク情報を送出するように構成された送出モジュールとを含む。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。
【００３９】
可能な設計では、当該方法は、
送出モジュールが第１のシンボルセット上で第１の上りリンク情報を送出する前に、第１のシンボルセット内の最初のシンボルの前の第１のシンボル内の第１の時間内に、端末デバイスがターゲットキャリアのチャネルにアクセスすることを許可されることを検出するように構成された処理モジュールを更に含む。
【００４０】
可能な設計では、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間は、第２のシンボルセットが位置する上りリンクサブフレーム内にあり且つ端末デバイス又は他の端末デバイスがターゲットキャリアのチャネルにアクセスすることを許可されるか否かを検出するために処理モジュール又は他の端末デバイスにより使用される時間であり、シンボル2は、第２のシンボルセット内のシンボルと重複しない。
【００４１】
可能な設計では、処理モジュールは、第２の時間内に、端末デバイスがターゲットキャリアのチャネルにアクセスすることを許可されないことを検出する。代替として、受信モジュールは、第２の指示情報を受信しない。
【００４２】
可能な設計では、第１のシンボルは、第１のシンボルセット内の最初のシンボルに時間において隣接する。
【００４３】
具体的には、第１の上りリンク情報は、サウンディング参照信号SRS及び／又は物理上りリンク共有チャネルPUSCHを含み、及び／又は第２の上りリンク情報は、SRS及び／又はPUSCHを含む。
【００４４】
第８の態様によれば、本発明の実施例は、アクセスネットワークデバイスを提供し、
端末デバイスに対して、ターゲットキャリアの第１のシンボルセット上で第１の上りリンク情報を送出するように命令するために使用される第１の指示情報を送出するように構成された送出モジュールと、第１のシンボルセット上で第１の上りリンク情報を受信するように構成された受信モジュールとを含む。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。
【００４５】
可能な設計では、当該方法は、
端末デバイスが少なくとも１つのシンボルセット又は第１のシンボルセットに隣接するシンボルセット上で上りリンク情報を送出しないと決定するように構成された処理モジュールを更に含む。
【００４６】
可能な設計では、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間の全部又は一部は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間であり、シンボル2は、第２のシンボルセット内のシンボルと重複しない。
【００４７】
具体的には、第１の上りリンク情報は、サウンディング参照信号SRS及び／又は物理上りリンク共有チャネルPUSCHを含み、及び／又は第２の上りリンク情報は、SRS及び／又はPUSCHを含む。
【００４８】
第９の態様によれば、本発明の実施例は、端末デバイスを提供し、
ターゲットキャリアの第１のシンボルセット上で上りリンク情報を送出するための指示情報を取得するように構成された受信機と、第１のシンボルセットにより占有される時間内の第２の時間内に上りリンク情報を送出するように構成された送信機であり、第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である、送信機とを含む。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、端末デバイスが上りリンク情報を送出するようにスケジューリングされるシンボルセットである。
【００４９】
可能な設計では、第１の時間は、第１のシンボルセット内の最初のシンボル又は最初の２つのシンボルにより占有される時間である。
【００５０】
可能な設計では、当該方法は、
送出モジュールが第１のシンボルセットにより占有される時間内の第２の時間内に上りリンク情報を送出する前に、第１の時間の全部又は一部の中で、端末デバイスがターゲットキャリアのチャネルにアクセスすることを許可されることを検出するように構成されたプロセッサを更に含む。
【００５１】
可能な設計では、送信機は、第２のシンボルセット上で上りリンク情報を送出しない。
【００５２】
可能な設計では、第１のシンボルセットは、第１のシンボルセットが位置する上りリンクサブフレーム内において参照シンボルセット内のシンボルを含むか、或いは
第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まず、
参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するためにプロセッサ又は他の端末デバイスにより使用される時間により占有されるシンボルである。
【００５３】
具体的には、上りリンク情報は、サウンディング参照信号SRS及び／又は物理上りリンク共有チャネルPUSCHを含む。
【００５４】
第１０の態様によれば、本発明の実施例は、アクセスネットワークデバイスを提供し、
端末デバイスに対して、ターゲットキャリアの第１のシンボルセット上で上りリンク情報を送出するように命令するために使用される指示情報を送出するように構成された送信機と、第１のシンボルセットにより占有される時間内の第２の時間内に上りリンク情報を受信するように構成された受信機であり、第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である、受信機とを含む。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、アクセスネットワークデバイスが上りリンク情報を送出するように端末デバイスをスケジューリングするシンボルセットである。
【００５５】
可能な設計では、第１の時間は、第１のシンボルセット内の最初のシンボル又は最初の２つのシンボルにより占有される時間である。
【００５６】
可能な設計では、当該方法は、
端末デバイスが第２のシンボルセット上で上りリンク情報を送出しないと決定するように構成されたプロセッサを更に含む。
【００５７】
可能な設計では、第１のシンボルセットは、第１のシンボルセットが位置する上りリンクサブフレーム内において参照シンボルセット内のシンボルを含むか、或いは
第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まず、参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間により占有される時間である。
【００５８】
具体的には、上りリンク情報は、サウンディング参照信号SRS及び／又は物理上りリンク共有チャネルPUSCHを含む。
【００５９】
第１１の態様によれば、本発明の実施例は、端末デバイスを提供し、
ターゲットキャリアの第１のシンボルセット上で第１の上りリンク情報を送出するための第１の指示情報を取得するように構成された受信機と、第１のシンボルセット上で第１の上りリンク情報を送出するように構成された送信機とを含む。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。
【００６０】
可能な設計では、当該方法は、
送信機が第１のシンボルセット上で第１の上りリンク情報を送出する前に、第１のシンボルセット内の最初のシンボルの前のシンボル1内の第１の時間内に、端末デバイスがターゲットキャリアのチャネルにアクセスすることを許可されることを検出するように構成されたプロセッサを更に含む。
【００６１】
可能な設計では、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間は、第２のシンボルセットが位置する上りリンクサブフレーム内にあり且つ端末デバイス又は他の端末デバイスがターゲットキャリアのチャネルにアクセスすることを許可されるか否かを検出するためにプロセッサ又は他の端末デバイスにより使用される時間であり、シンボル2は、第２のシンボルセット内のシンボルと重複しない。
【００６２】
可能な設計では、プロセッサは、第２の時間内に、端末デバイスがターゲットキャリアのチャネルにアクセスすることを許可されないことを検出する。代替として、受信機は、第２の指示情報を受信しない。
【００６３】
可能な設計では、シンボル1は、第１のシンボルセット内の最初のシンボルに時間において隣接する。
【００６４】
具体的には、第１の上りリンク情報は、サウンディング参照信号SRS及び／又は物理上りリンク共有チャネルPUSCHを含み、及び／又は第２の上りリンク情報は、SRS及び／又はPUSCHを含む。
【００６５】
第１２の態様によれば、本発明の実施例は、アクセスネットワークデバイスを提供し、
端末デバイスに対して、ターゲットキャリアの第１のシンボルセット上で第１の上りリンク情報を送出するように命令するために使用される第１の指示情報を送出するように構成された送信機と、第１のシンボルセット上で第１の上りリンク情報を受信するように構成された受信機とを含む。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。
【００６６】
可能な設計では、当該方法は、
端末デバイスが少なくとも１つのシンボルセット又は第１のシンボルセットに隣接するシンボルセット上で上りリンク情報を送出しないと決定するように構成されたプロセッサを更に含む。
【００６７】
可能な設計では、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間の全部又は一部は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間であり、シンボル2は、第２のシンボルセット内のシンボルと重複しない。
【００６８】
具体的には、第１の上りリンク情報は、サウンディング参照信号SRS及び／又は物理上りリンク共有チャネルPUSCHを含み、及び／又は第２の上りリンク情報は、SRS及び／又はPUSCHを含む。
【００６９】
従来技術と比べて、本発明の実施例において提供される解決策では、上りリンク情報のための複数の送信チャネルが、端末デバイスがチャネルにアクセスすることを許可されるか否かを検出するための１つの検出を共有するとき、最初の送信チャネルの前のチャネル検出結果が、端末デバイスがチャネルにアクセスすることを許可されないというものである場合、端末デバイスは、上りリンク情報を送出するために最初の送信チャネルの後の送信チャネルにアクセスすることを試みてもよく、それにより、チャネル使用効率を改善する。
【図面の簡単な説明】
【００７０】
本発明の実施例又は従来技術における技術的解決策をより明確に説明するために、以下に、実施例又は従来技術を説明するために必要な添付図面について簡単に説明する。明らかに、以下の説明における添付図面は、本発明のいくつかの実施例を示しており、当業者は、創造的取り組みなしに、依然としてこれらの添付図面から他の図面を導き得る。
【図１】本発明による上りリンク情報送信方法の実施例１の概略フローチャートである。
【図２】本発明による上りリンク情報送信方法の実施例１において、第１の上りリンクサブフレーム内の第１のシンボルセットに含まれるシンボル数の複数の概略図である。
【図３】本発明による上りリンク情報送信方法の実施例１において、アクセスネットワークデバイスにより送出される指示情報を使用することにより、端末デバイスに対して、ターゲットキャリア上で上りリンク情報を送出するように命令するために使用されるシンボルセットの概略図である。
【図４】本発明による上りリンク情報送信方法の実施例１において、第１の時間の一部を使用することにより、端末デバイスによりチャネル検出を実行する概略図である。
【図５】本発明による上りリンク情報送信方法の実施例１において、第１の時間の全部を使用することにより、端末デバイスによりチャネル検出を実行する概略図である。
【図６】本発明による上りリンク情報送信方法の実施例１において、参照シンボルセット内のシンボルが上りリンクサブフレーム内の最初のシンボルであることを示す概略図である。
【図７】本発明による上りリンク情報送信方法の実施例１において、第１の時間以外のターゲットキャリアの第１のシンボルセットにより占有される時間内の時間内に、端末デバイスにより上りリンク情報を送出する概略図である。
【図８】本発明による上りリンク情報送信方法の実施例１において、第１の時間以外のターゲットキャリアの第１のシンボルセットにより占有される時間内の時間内に、端末デバイスにより上りリンク情報を送出する他の概略図である。
【図９】本発明による上りリンク情報送信方法の実施例２の概略フローチャートである。
【図１０】本発明による上りリンク情報送信方法の実施例２において、アクセスネットワークデバイスにより送出される指示情報を使用することにより、端末デバイスに対して、ターゲットキャリア上で上りリンク情報を送出するように命令するために使用されるシンボルセットの概略図である。
【図１１】本発明による上りリンク情報送信方法の実施例２において、アクセスネットワークデバイスにより送出される指示情報を使用することにより、端末デバイスに対して、ターゲットキャリア上で上りリンク情報を送出するように命令するために使用されるシンボルセットの他の概略図である。
【図１２】本発明による上りリンク情報送信方法の実施例２におけるシンボル1、第１の時間、シンボル2及び第２の時間の概略図である。
【図１３】本発明による上りリンク情報送信方法の実施例２におけるシンボル1、第１の時間、シンボル2及び第２の時間の概略図である。
【図１４】本発明の実施例による端末デバイスの実施例１の概略構成図である。
【図１５】本発明の実施例による端末デバイスの実施例２の概略構成図である。
【図１６】本発明の実施例によるアクセスネットワークデバイスの実施例１の概略構成図である。
【図１７】本発明の実施例によるアクセスネットワークデバイスの実施例２の概略構成図である。
【図１８】本発明の実施例による端末デバイスの実施例３の概略構成図である。
【図１９】本発明の実施例による端末デバイスの実施例４の概略構成図である。
【図２０】本発明の実施例によるアクセスネットワークデバイスの実施例３の概略構成図である。
【図２１】本発明の実施例によるアクセスネットワークデバイスの実施例４の概略構成図である。
【図２２】本発明の実施例による端末デバイスの実施例５の概略構成図である。
【図２３】本発明の実施例による端末デバイスの実施例６の概略構成図である。
【図２４】本発明の実施例によるアクセスネットワークデバイスの実施例５の概略構成図である。
【図２５】本発明の実施例によるアクセスネットワークデバイスの実施例６の概略構成図である。
【図２６】本発明の実施例による端末デバイスの実施例７の概略構成図である。
【図２７】本発明の実施例による端末デバイスの実施例８の概略構成図である。
【図２８】本発明の実施例によるアクセスネットワークデバイスの実施例７の概略構成図である。
【図２９】本発明の実施例によるアクセスネットワークデバイスの実施例８の概略構成図である。
【発明を実施するための形態】
【００７１】
本発明の実施例の目的、技術的解決策及び利点をより明確にするために、以下に、本発明の実施例における添付図面を参照して、本発明の実施例における技術的解決策について明確且つ完全に説明する。明らかに、説明する実施例は、本発明の実施例の全部ではなく、一部である。創造的取り組みなしに本発明の実施例に基づいて当業者により取得される全ての他の実施例は、本発明の保護範囲内に入るものとする。
【００７２】
本発明の実施例における技術的解決策は、グローバル・システム・フォー・モバイル・コミュニケーションズ（Global  System  of  Mobile  communication,  略称GSM）、符号分割多元接続（Code  Division  Multiple  Access,  略称CDMA）システム、広帯域符号分割多元接続（Wideband  Code  Division  Multiple  Access,  略称WCDMA）システム、汎用パケット無線サービス（General  Packet  Radio  Service,  略称GPRS）システム、LTEシステム又はユニバーサル移動通信システム（Universal  Mobile  Telecommunications  System,  略称UMTS）のような、本発明の実施例では限定されない無線セルラネットワーク内の様々な通信システムに適用されてもよい。
【００７３】
本発明の実施例における技術的解決策は、主にLTEシステムに適用され、特に、上りリンク情報がアンライセンススペクトルリソース上で送出されるライセンス補助アクセス（Licensed-Assisted  Access,  略称LAA）システムに適用される。本発明の実施例が適用される通信システム内のネットワークエレメントは、アクセスネットワークデバイス（例えば、基地局）及び端末デバイスである。
【００７４】
本発明の実施例は、時間において連続する上りリンク情報のための端末デバイスの複数の送信チャネルが、端末デバイスがチャネルにアクセスすることを許可されるか否かを検出するための１つの検出を共有するとき、最初の送信チャネルの前のチャネル検出結果が、端末デバイスがチャネルにアクセスすることを許可されないというものである場合、端末デバイスが上りリンク情報を送出するためにその後の送信チャネルにアクセスすることを試みてもよく、それにより、チャネル使用効率を改善するような上りリンク情報送信方法、端末デバイス及びアクセスネットワークデバイスを提供する。具体的な方法は以下の通りである。端末デバイスが、最初の送信チャネルの前に、端末デバイスがチャネルにアクセスすることを許可されないことを検出した場合、端末デバイスは、その後の送信チャネルのシンボルセットにより占有される時間内又は前に、端末デバイスがチャネルにアクセスすることを許可されるか否かを検出することを試みる。端末デバイスがチャネルにアクセスすることを許可されることを検出した場合、端末デバイスは、その後の送信チャネルのシンボルセット上で上りリンク情報を送出する。対応して、アクセスネットワークデバイスは、その後の送信チャネルのシンボルセット上で上りリンク情報を受信する。本発明の実施例において提供される技術的解決策について、添付図面を参照して以下に詳細に説明する。
【００７５】
図１は、本発明による上りリンク情報送信方法の実施例１の概略フローチャートである。図１に示すように、当該方法は以下のステップを含む。
【００７６】
S101：アクセスネットワークデバイスは、端末デバイスに対して、ターゲットキャリアの第１のシンボルセット上で上りリンク情報を送出するように命令するために使用される指示情報を送出する。
【００７７】
具体的には、第１のシンボルセットは複数のシンボルを含む。端末デバイスは、ターゲットキャリアの第１のシンボルセットに含まれるシンボルに対応する時間内に上りリンク情報を送出する。第１のシンボルセットの前に第２のシンボルセットが存在する。ここでの「前」は、時間における「前」である。第２のシンボルセット内の最後のシンボルは、第１のシンボルセット内の最初のシンボルに時間において隣接し、第２のシンボルセット及び第１のシンボルセットは、アクセスネットワークデバイスが上りリンク情報を送出するように端末デバイスをスケジューリングするシンボルセットである。
【００７８】
例えば、アクセスネットワークデバイスは、ターゲットキャリアの第１の上りリンクサブフレーム内の第１のシンボルセット上で上りリンク情報を送出するように端末デバイスをスケジューリングする。第１の上りリンクサブフレームに含まれるシンボル総数は14であり、第１のシンボルセットは14個のシンボル、13個のシンボル、12個のシンボル又は11個のシンボルを含んでもよい。図２は、本発明による上りリンク情報送信方法の実施例１において、第１の上りリンクサブフレーム内の第１のシンボルセットに含まれるシンボル数の複数の概略図である。図２に示すように、第１のシンボルセットは、図２における10個の場合のうちいずれか１つでもよい。
【００７９】
アクセスネットワークデバイスが、端末デバイスに対して、ターゲットキャリアの第１のシンボルセット上で上りリンク情報を送出するように命令するために使用される指示情報を送出することは、アクセスネットワークデバイスが上りリンクスケジューリング許可を端末デバイスに送出することでもよい。上りリンクスケジューリング許可は、端末デバイスに対して、ターゲットキャリアの第１の上りリンクサブフレーム内の第１のシンボルセット上で上りリンク情報を送出するように命令するために使用される。上りリンクスケジューリング許可は、第１の上りリンクサブフレームのみに対応してもよく、すなわち、アクセスネットワークデバイスは、１つの上りリンクサブフレーム内で上りリンク情報を送出するようにアクセスネットワークデバイスをスケジューリングするために、上りリンクスケジューリング許可を１回送出する。代替として、上りリンクスケジューリング許可は、複数の上りリンクサブフレームに対応してもよく、すなわち、アクセスネットワークデバイスは、複数の上りリンクサブフレーム内で上りリンク情報を送出するようにアクセスネットワークデバイスをスケジューリングするために、上りリンクスケジューリング許可を１回送出する。アクセスネットワークデバイスが上りリンクスケジューリング許可を送出し、上りリンクスケジューリング許可がターゲットキャリアの第１の上りリンクサブフレーム内の第１のシンボルセット上で上りリンク情報を送出するように端末デバイスをスケジューリングするために使用される情報を有するという条件で、これは本発明のこの実施例では限定されない点に留意すべきである。
【００８０】
さらに、指示情報を使用することにより、端末デバイスに対して、ターゲットキャリアの第１のシンボルセット上で上りリンク情報を送出するように命令することに加えて、アクセスネットワークデバイスは、指示情報を使用することにより、ターゲットキャリアの第２のシンボルセットが、アクセスネットワークデバイスが上りリンク情報を送出するように端末デバイスをスケジューリングするシンボルセットであることを端末デバイスに更に指示してもよい。第２のシンボルセットに含まれるシンボル内の最後のシンボルは、第１のシンボルセット内の最初のシンボルに時間において隣接する。上りリンク情報はSRS及び／又はPUSCHである。端末デバイスに対して、ターゲットキャリアの第１のシンボルセット上で上りリンク情報を送出するように命令するために使用される指示情報は、端末デバイスに対して、第２のシンボルセット上で上りリンク情報を送出するように命令するために使用される指示情報と同じでもよく、或いは異なってもよい。これは、ここでは限定されない。
【００８１】
第２のシンボルセットは少なくとも１つのシンボルを含む。
【００８２】
例えば、図３は、本発明による上りリンク情報送信方法の実施例１において、アクセスネットワークデバイスにより送出される指示情報を使用することにより、端末デバイスに対して、ターゲットキャリア上で上りリンク情報を送出するように命令するために使用されるシンボルセットの概略図である。図３に示すように、指示情報を使用することにより、端末デバイスに対して、ターゲットキャリアの第１のシンボルセット上で上りリンク情報を送出するように命令することに加えて、アクセスネットワークデバイスは、指示情報を使用することにより、端末デバイスに対して、第２のシンボルセット上で上りリンク情報を送出するように更に命令する。第２のシンボルセットに含まれるシンボル内の最後のシンボルは、第１のシンボルセット内の最初のシンボルに時間において隣接する。例えば、第２のシンボルセット内のシンボルは、第２の上りリンクサブフレーム内の第２〜第１４のシンボルを含み、第１のシンボルセット内のシンボルは、第１の上りリンクサブフレーム内の第１〜第１４のシンボルを含む。アクセスネットワークデバイスは、端末デバイスに対して、第２のシンボルセット上で第１のPUSCHを送出し、第２のシンボルセット上で第２のPUSCHを送出するように命令する。例えば、シンボル2は、第１の上りリンクサブフレーム内の第２のシンボルであり、第１のシンボルセット内のシンボルは、第１の上りリンクサブフレーム内の第３〜第１４のシンボルを含む。アクセスネットワークデバイスは、端末デバイスに対して、第２のシンボルセット上で第１のPUSCHを送出し、第２のシンボルセット上でSRSを送出するように命令する。
【００８３】
さらに、第２のシンボルセットの前に１つ以上のシンボルセットが更に存在してもよい。第１のシンボルセットの前にあり且つアクセスネットワークデバイスが端末デバイスに対して上りリンク情報を送出するように命令するシンボルセット数は、本発明のこの実施例では限定されない。すなわち、第２のシンボルセットの前にあり且つアクセスネットワークデバイスが上りリンク情報を送出するように端末デバイスをスケジューリングするシンボルである第３のシンボルセット又はそれ以上のシンボルセットが存在してもよい。シンボルセットのそれぞれ２つの中の最初のシンボル及び最後のシンボルは時間において隣接する。すなわち、第１のシンボルセットに時間において隣接するシンボルセット内で、第１のシンボルセット内の最後のシンボルは、第２のシンボルセット内の最初のシンボルに隣接し、第２のシンボルセット内の最後のシンボルは、第３のシンボルセット内の最初のシンボルに隣接し、...、最後の１つ前のシンボルセット内の最後のシンボルは、最後のシンボルセット内の最初のシンボルに隣接する。
【００８４】
S102：端末デバイスは、ターゲットキャリアの第１のシンボルセット上で上りリンク情報を送出するための指示情報を取得する。
【００８５】
具体的には、端末デバイスは、受信した上りリンクスケジューリング許可に基づいて、端末デバイスに対して、ターゲットキャリアの第１のシンボルセット上で上りリンク情報を送出するように命令するために使用される指示情報を取得する。
【００８６】
S103：端末デバイスは、第１のシンボルセットにより占有される時間内の第２の時間内に上りリンク情報を送出する。
【００８７】
具体的には、第２の時間は、第１の時間以外の第１のシンボルセットにより占有される時間内の時間である。ターゲットキャリアのチャネルにアクセスすることを許可されるのを習得するためにどの方式が端末デバイスにより使用されるかに拘わらず、第２の時間は、端末デバイスが上りリンク情報を送出するためにターゲットキャリアのチャネルにアクセスすることを許可される時間である。第１の時間は、第１のシンボルセット内の最初のシンボル又は最初の２つのシンボルにより占有される時間でもよく、或いは第１のシンボルセット内の最初のシンボルにより占有される時間の一部、例えば、半分のシンボルの時間でもよい。第１の時間の全部又は一部は、端末デバイスがチャネルにアクセスすることを許可されるか否かを検出するために端末デバイスにより使用される時間である。端末デバイスにより上りリンク情報を送出する時間は、上りリンク情報に対応する参照信号を送出する時間を含む。
【００８８】
S104：アクセスネットワークデバイスは、第１のシンボルセットにより占有される時間内の第２の時間内に上りリンク情報を受信する。
【００８９】
任意選択で、アクセスネットワークデバイスは、端末デバイスが第２のシンボルセット上で上りリンク情報を送出しないと決定する。アクセスネットワークデバイスにより、端末デバイスが第２のシンボルセット上で上りリンク情報を送出しないと決定するための方法は、ここでは限定されない。例えば、アクセスネットワークデバイスは、復調参照信号により占有され且つ第２のシンボルセット内にあるシンボル上で端末デバイスにより送出された復調参照信号を検出せず、端末デバイスが第２のシンボルセット上で上りリンク情報を送出しないと決定してもよい。代替として、アクセスネットワークデバイスは、他の方法を使用することにより、端末デバイスが第２のシンボルセット上で上りリンク情報を送出しないと決定してもよい。
【００９０】
この実施例において提供される上りリンク情報送信方法では、ターゲットキャリアの第１のシンボルセット上で上りリンク情報を送出するための指示情報を取得した後に、端末デバイスは、第１のシンボルセットにより占有される時間内の第２の時間内に上りリンク情報を送出する。第２の時間は、端末デバイスが上りリンク情報を送出するためにターゲットキャリアのチャネルにアクセスすることを許可される時間である。アクセスネットワークデバイスは、ターゲットキャリアの第１のシンボルセットにより占有される時間内の第２の時間内に上りリンク情報を受信する。したがって、上りリンク情報のための複数の送信チャネルが、端末デバイスがチャネルにアクセスすることを許可されるか否かを検出するための１つの検出を共有するとき、最初の送信チャネルの前のチャネル検出結果が、端末デバイスがチャネルにアクセスすることを許可されないというものである場合、端末デバイスは、上りリンク情報を送出するために最初の送信チャネルの後の送信チャネルにアクセスすることを試みてもよく、それにより、チャネル使用効率を改善する。
【００９１】
任意選択で、端末デバイスにより、第１のシンボルセット内の第２の時間内に上りリンク情報を送出する前に、当該方法は、端末デバイスにより、第１の時間の全部又は一部の中で、端末デバイスがターゲットキャリアのチャネルにアクセスすることを許可されることを検出することを更に含んでもよい。すなわち、端末デバイスは、第１の時間の全部又は一部の中で、端末デバイスがチャネルにアクセスすることを許可されるか否かを検出する（チャネルがアイドルであるか否かを検出する）。端末デバイスがチャネルにアクセスすることを許可されることを検出した場合、端末デバイスは、第１のシンボルセット内の残りの時間内に上りリンク情報を送出する。端末デバイスは、第１のシンボルセット内の第１の時間の全部又は一部の中でチャネル検出を実行し、端末デバイスが第１のシンボルセット内の残りの時間内にチャネルにアクセスすることを許可されるか否かを習得する。チャネルにアクセスすることを許可されるとき、端末デバイスは、第１のシンボルセットの残りの時間（すなわち、第２の時間）内に上りリンク情報を送出する。
【００９２】
図４は、本発明による上りリンク情報送信方法の実施例１において、第１の時間の一部を使用することにより、端末デバイスによりチャネル検出を実行する概略図である。図４に示すように、第１の時間の一部は、端末デバイスがターゲットキャリアのチャネルにアクセスすることを許可されるか否かを検出するために端末デバイスにより使用される時間である。第１の時間の一部の中で、端末デバイスがターゲットキャリアのチャネルにアクセスすることを許可されることを検出した後に、端末デバイスは、チャネルを占有するために充填信号を送出し、第１の時間の終了時点まで、第１の時間以外の第１のシンボルセット内の時間内に上りリンク情報を送出し始めない。
【００９３】
図５は、本発明による上りリンク情報送信方法の実施例１において、第１の時間の全部を使用することにより、端末デバイスによりチャネル検出を実行する概略図である。図５に示すように、第１の時間の全部は、端末デバイスがチャネルにアクセスすることを許可されるか否かを検出するために端末デバイスにより使用される時間である。第１の時間内に、端末デバイスがターゲットキャリアのチャネルにアクセスすることを許可されることを検出した後に、端末デバイスは、第１の時間以外の第１のシンボルセット内の時間内に上りリンク情報を送出する。
【００９４】
さらに、第１のシンボルセット内の第１の時間の全部又は一部の中でチャネル検出を実行する前に、端末デバイスは、第２のシンボルセット上で上りリンクチャネルを送出しない。
【００９５】
指示情報を使用することにより、端末デバイスに対して、ターゲットキャリアの第１のシンボルセット上で上りリンク情報を送出するように命令することに加えて、アクセスネットワークデバイスは、指示情報を使用することにより、端末デバイスに対して、第１のシンボルセットの前の第２のシンボルセット上で上りリンク情報を送出するように更に命令し、第２のシンボルセットに含まれるシンボル内の最後のシンボルは、第１のシンボルセット内の最初のシンボルに時間において隣接する。しかし、端末デバイスは、第２のシンボルセット上で上りリンク情報を送出しない。具体的には２つの場合が存在してもよい。
【００９６】
1.第２のシンボルセットにより占有される時間は、端末デバイスが、端末デバイスがターゲットキャリアのチャネルにアクセスすることを許可されないことを検出する時間である。
【００９７】
第２のシンボルセット上で上りリンク情報を送出する前に、端末デバイスは、データを送出するために、端末デバイスがターゲットキャリアのチャネルにアクセスすることを許可されるか否かを検出する必要がある。第２のシンボルセットにより占有される時間が、端末デバイスがターゲットキャリアのチャネルにアクセスすることを許可されない時間であることを検出した場合、端末デバイスは、第１のシンボルセットの前の隣接するシンボルセット上で上りリンク情報を送出しない。
【００９８】
2.端末デバイスは、アクセスネットワークデバイスにより、第２のシンボルセット上で上りリンク情報を送出するように端末デバイスをスケジューリングするための指示情報を受信しない。
【００９９】
上りリンク情報はSRS及び／又はPUSCHを含む。
【０１００】
前述の２つの場合の双方について、端末デバイスは、第２のシンボルセット上で上りリンク情報を送出しない。第１のシンボルセット上でスケジューリングされた上りリンク情報を送出するために、端末デバイスは、上りリンク情報を送出するために、端末デバイスがターゲットキャリアのチャネルにアクセスすることを許可されるか否かを決定するために、第１のシンボルセット内の第１の時間の全部又は一部の中でチャネル検出を実行する。そうでない場合、端末デバイスが、第１のシンボルセットの前に、ターゲットキャリアのチャネルにアクセスすることを許可されない状態にあり、端末デバイスが第１のシンボルセットにより占有される時間の開始位置内で、チャネルにアクセスすることを試み始めない場合、端末デバイスは、第１のシンボルセット上で上りリンク情報を送出する機会を有さない。これらの２つの場合、ターゲットキャリアの第１のシンボルセットは、第１のシンボルセットが位置する上りリンクサブフレーム内において参照シンボルセット内のシンボルを含む。代替として、第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まない。
【０１０１】
参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間により占有されるシンボルである。端末デバイスは、第１のシンボルセットが前述の条件を満たすか否かに基づいて、第１のシンボルセット内の第１の時間の全部又は一部の中で、端末デバイスがターゲットキャリアのチャネルにアクセスすることを許可されることが検出されるか否かを決定し、検出結果に基づいて、第１の時間以外のターゲットキャリアの第１のシンボルセットにより占有される時間内の時間内に、上りリンク情報を送出するか否かを決定してもよい。具体的には、アンライセンススペクトル上のキャリアの上りリンクサブフレームは参照シンボルセットを含む。参照シンボルセットは、上りリンクサブフレーム内の最初のシンボル又は最初の２つのシンボルを含む。代替として、参照シンボルセットは、上りリンクサブフレーム内の最後のシンボル又は最後の２つのシンボルを含む。任意選択で、アンライセンススペクトル上のキャリアの上りリンクサブフレームに含まれ且つ端末デバイス又は他の端末デバイスがターゲットキャリアのチャネルにアクセスすることを許可されるか否かを検出するために端末デバイス又は他の端末デバイスにより使用される時間は、上りリンクサブフレーム内で決定されたシンボルインデックス上のシンボルにより占有される時間内の時間である。図６は、本発明による上りリンク情報送信方法の実施例１において、参照シンボルセット内のシンボルが上りリンクサブフレーム内の最初のシンボルであることを示す概略図である。図６に示すように、各上りリンクサブフレームは参照シンボルセットを含む。参照シンボルセットが各上りリンクサブフレーム内の最初のシンボルである例がここで使用される。各上りリンクサブフレーム内で参照シンボルセット内のシンボルにより占有される時間は、端末デバイス又は他の端末デバイスがターゲットキャリアのチャネルにアクセスすることを許可されるか否かを検出するために端末デバイス又は他の端末デバイスにより使用される時間である。しかし、上りリンクサブフレームについて、上りリンクサブフレーム内で参照シンボルセット内のシンボルにより占有される時間は、端末デバイスがターゲットキャリアのチャネルにアクセスすることを許可されるか否かを検出するために端末デバイスにより本当に使用されなくてもよい。上りリンクサブフレーム内で、データを送出するために、少なくとも１つの端末デバイスがチャネルにアクセスすることを許可されるか否かを検出する必要がある少なくとも１つの端末デバイスが存在するとき、且つアクセスネットワークデバイスが上りリンクサブフレーム内でデータを送出するように端末デバイスをスケジューリングするとき、アクセスネットワークデバイスの指示情報は、端末デバイスに対して、上りリンクサブフレーム内にあり且つ参照シンボルセット内のシンボルにより占有される時間を含まない時間内にデータを送出するように命令し、端末デバイスがチャネルにアクセスすることを許可されるか否かを検出する端末デバイスが、チャネルにアクセスすることを許可される検出結果を取得するのを助ける。上りリンクサブフレーム内で、データを送出するために、端末デバイスがチャネルにアクセスすることを許可されるか否かを検出する必要がある端末デバイスが存在しないとき、且つアクセスネットワークデバイスが上りリンクサブフレーム内でデータを送出するように端末デバイスをスケジューリングするとき、アクセスネットワークデバイスの指示情報は、端末デバイスに対して、上りリンクサブフレーム内にあり且つ参照シンボルセット内のシンボルにより占有される時間を含む時間内にデータを送出するように命令する。すなわち、参照シンボルセットは、端末デバイス又は他の端末デバイスがターゲットキャリアのチャネルにアクセスすることを許可されるか否かを検出するために端末デバイス又は他の端末デバイスにより使用される時間により占有されるシンボルである。しかし、アクセスネットワークデバイスは、少なくとも１つの端末デバイスの上りリンクバーストの開始が上りリンクサブフレームの参照シンボルセット上でスケジューリングされるか否かに基づいて、上りリンク情報を送出するために、上りリンクサブフレーム内の参照シンボルを端末デバイスにスケジューリングするか否かを決定してもよい。少なくとも１つの端末デバイスの上りリンクバーストの開始が上りリンクサブフレームの参照シンボルセット上でスケジューリングされる場合、アクセスネットワークデバイスは、上りリンク情報を送出するために、上りリンクサブフレーム内の参照シンボルを端末デバイスにスケジューリングしない。或いは、少なくとも１つの端末デバイスの上りリンクバーストの開始が上りリンクサブフレームの参照シンボルセット上でスケジューリングされない場合、アクセスネットワークデバイスは、上りリンク情報を送出するために、上りリンクサブフレーム内の参照シンボルを端末デバイスにスケジューリングしてもよい。上りリンクバースト（Uplink  Burst,  略称UL  burst）は、アンライセンス周波数帯域リソースを先取りした後に、競合機構なしに、端末デバイスがアンライセンス周波数帯域リソースを使用することによりデータを送信することを含む。上りリンクバーストの時間長は、アンライセンス周波数帯域リソース上のユーザ装置の最大チャネル占有時間（maximum  channel  occupancy  time,  略称MCOT）より大きくない。代替として、上りリンクバーストの時間長に他の制限が課されてもよい。
【０１０２】
図７は、本発明による上りリンク情報送信方法の実施例１において、第１の時間以外のターゲットキャリアの第１のシンボルセットにより占有される時間内の時間内に、端末デバイスにより上りリンク情報を送出する概略図である。ターゲットキャリアの第１のシンボルセットは、第１のシンボルセットが位置する上りリンクサブフレーム内において参照シンボルセット内のシンボルを含む。参照シンボルセットは、上りリンクサブフレーム内の最初のシンボルである。端末デバイスが、第１のシンボルセットが、第１のシンボルセットが位置する上りリンクサブフレーム内の最初のシンボルを含むと決定し、第１のシンボルセットの前の隣接するシンボルセット上で上りリンク情報を送出しない場合、且つ端末デバイスが、第１のシンボルセット内の最初のシンボルの時間の全部又は一部の中で、端末デバイスがターゲットキャリアのチャネルにアクセスすることを許可されることを検出した場合、端末デバイスは、最初のシンボル以外のターゲットキャリアの第１のシンボルセット内の時間内に上りリンク情報を送出する。図７に示すように、指示情報を使用することにより、端末デバイスに対して、ターゲットキャリアの第１のシンボルセット上で上りリンク情報を送出するように命令することに加えて、アクセスネットワークデバイスは、指示情報を使用することにより、端末デバイスに対して、第２のシンボルセット上で上りリンク情報を送出するように更に命令する。第２のシンボルセットに含まれるシンボル内の最後のシンボルは、第１のシンボルセット内の最初のシンボルに時間において隣接する。アクセスネットワークデバイスについて、第１のシンボルセット及び第２のシンボルセットが、端末デバイスがチャネルにアクセスすることを許可されるか否かを検出する１つのプロセスを共有することが仮定される。したがって、端末デバイスは、第１のシンボルセットが位置する上りリンクサブフレーム内において参照シンボルセット内のシンボルの時間内に、端末デバイスがターゲットキャリアのチャネルにアクセスすることを許可されるか否かを検出する必要はない。第１のシンボルセットが位置する上りリンクサブフレーム内において参照シンボルセット内のシンボルの時間内に、他の端末デバイスがターゲットキャリアのチャネルにアクセスすることを許可されるか否かを検出する必要がある、端末デバイス以外の他の端末デバイスが存在しない場合、第１のシンボルセットは、上りリンクサブフレーム内において参照シンボルセット内のシンボルを含む。端末デバイスが、第１のシンボルセットが、第１のシンボルセットが位置する上りリンクサブフレーム内において参照シンボルセット内のシンボルを含むと決定し、第２のシンボルセット上で上りリンク情報を送出しない場合、且つ端末デバイスが、第１のシンボルセット内の第１の時間の全部又は一部の中で、端末デバイスがターゲットキャリアのチャネルにアクセスすることを許可されることを検出した場合、端末デバイスは、第１の時間以外のターゲットキャリアの第１のシンボルセットにより占有される時間内の時間内に、上りリンク情報を送出する。明らかに、端末デバイスが、第１のシンボルセット内の第１の時間の全部又は一部の中で、端末デバイスがターゲットキャリアのチャネルにアクセスすることを許可されないことを検出した場合、端末デバイスは、ターゲットキャリアの第１のシンボルセット上で上りリンク情報を送出しない。
【０１０３】
図８は、本発明による上りリンク情報送信方法の実施例１において、第１の時間以外のターゲットキャリアの第１のシンボルセットにより占有される時間内の時間内に、端末デバイスにより上りリンク情報を送出する他の概略図である。図８に示すように、指示情報を使用することにより、端末デバイスに対して、ターゲットキャリアの第１のシンボルセット上で上りリンク情報を送出するように命令することに加えて、アクセスネットワークデバイスは、指示情報を使用することにより、端末デバイスに対して、ターゲットキャリアの第１のシンボルセットの前の少なくとも１つの隣接するシンボルセット上で上りリンク情報を送出するように更に命令する。第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まない。例えば、アクセスネットワークデバイスは、端末デバイスに対して、第１のシンボルセットが位置する上りリンクサブフレーム内でSRSとPUSCHとの双方を送出するように命令する。SRSを送出するためのシンボルセットは、第１のシンボルセットの前の隣接するシンボルである。アクセスネットワークデバイスについて、第１のシンボルセット及び第１のシンボルセットの前の隣接するシンボルセットに対応する送信チャネルが、端末デバイスがチャネルにアクセスすることを許可されるか否かを検出する１つのプロセスを共有することが仮定される。したがって、端末デバイスは、第１のシンボルセットが位置するサブフレーム内において参照シンボルセット内のシンボルの時間内に、端末デバイスがターゲットキャリアのチャネルにアクセスすることを許可されるか否かを検出する。検出結果に基づいて、第１の送信チャネル、例えば、SRSが参照シンボルセットの後の少なくとも１つのシンボル上で送出されるか否かが決定されてもよい。端末デバイスが、第１のシンボルセットが、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まないと決定し、第１のシンボルセットの前の隣接するシンボルセット上で上りリンク情報を送出しない場合、且つ端末デバイスが、第１のシンボルセット内の第１の時間の全部又は一部の中で、端末デバイスがターゲットキャリアのチャネルにアクセスすることを許可されることを検出した場合、端末デバイスは、第１の時間以外のターゲットキャリアの第１のシンボルセットにより占有される時間内の時間内に、上りリンク情報を送出する。例えば、アンライセンススペクトル上のキャリアの上りリンクサブフレームに含まれる参照シンボルセット内のシンボルは、上りリンクサブフレーム内の最初のシンボルである。端末デバイスが、第１のシンボルセット内の最初のシンボルが上りリンクサブフレーム内の第３のシンボルであり、すなわち、第１のシンボルセットが、第１のシンボルセットが位置する上りリンクサブフレーム内の最初のシンボルを含まず、上りリンク���ブフレーム内の第２のシンボルを含まないと決定し、第１のシンボルセットの前の隣接するシンボルセット上で上りリンク情報を送出せず、端末デバイスが、第１のシンボルセット内の第３のシンボルの時間の一部又は全部の中で、端末デバイスがターゲットキャリアのチャネルにアクセスすることを許可されることを検出した場合、端末デバイスは、最初のシンボル以外のターゲットキャリアの第１のシンボルセット内の時間内に上りリンク情報を送出する。
【０１０４】
図９は、本発明による上りリンク情報送信方法の実施例２の概略フローチャートである。図９に示すように、当該方法は以下のステップを含む。
【０１０５】
S201：アクセスネットワークデバイスは、端末デバイスに対して、ターゲットキャリアの第１のシンボルセット上で第１の上りリンク情報を送出するように命令するために使用される第１の指示情報を送出する。
【０１０６】
具体的には、第１のシンボルセットは複数のシンボルを含む。端末デバイスは、ターゲットキャリアの第１のシンボルセットに含まれるシンボルに対応する時間内に上りリンク情報を送出する。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。ここでの「前」は、時間における「前」である。
【０１０７】
S202：端末デバイスは、ターゲットキャリアの第１のシンボルセット上で第１の上りリンク情報を送出するための第１の指示情報を取得する。
【０１０８】
S203：端末デバイスは、ターゲットキャリアの第１のシンボルセット上で上りリンク情報を送出する。
【０１０９】
具体的には、端末デバイスは、第１のシンボルセットの前の隣接するシンボルセット上で上りリンク情報を送出しない。
【０１１０】
S204：アクセスネットワークデバイスは、ターゲットキャリアの第１のシンボルセット上で第１の上りリンク情報を受信する。
【０１１１】
具体的には、端末デバイスが少なくとも１つのシンボルセット又は第１のシンボルセットに隣接するシンボルセット上で上りリンク情報を送出しないと決定した場合、アクセスネットワークデバイスはS204を実行する。第１の上りリンク情報はSRS及び／又はPUSCHを含む。
【０１１２】
任意選択で、アクセスネットワークデバイスは、端末デバイスが少なくとも１つのシンボルセット又は第１のシンボルセットに隣接するシンボルセット上で上りリンク情報を送出しないと決定する。アクセスネットワークデバイスにより、端末デバイスが少なくとも１つのシンボルセット又は第１のシンボルセットに隣接するシンボルセット上で上りリンク情報を送出しないと決定することは、ここでは限定されない。例えば、アクセスネットワークデバイスは、少なくとも１つのシンボルセット及び第１のシンボルセットに隣接するシンボルセット内で復調参照信号により占有されるシンボル上で端末デバイスにより送出された復調参照信号を検出せず、端末デバイスが少なくとも１つのシンボルセット及び第１のシンボルセットに隣接するシンボルセット上で上りリンク情報を送出しないと決定してもよい。代替として、アクセスネットワークデバイスは、他の方法を使用することにより、端末デバイスが少なくとも１つのシンボルセット及び第１のシンボルセットに隣接するシンボルセット上で上りリンク情報を送出しないと決定してもよい。
【０１１３】
さらに、S203の前に、当該方法は、端末デバイスにより、第１のシンボルセット内の最初のシンボルの前のシンボル1内の第１の時間内に、端末デバイスがターゲットキャリアのチャネルにアクセスすることを許可されることを検出することを更に含む。
【０１１４】
さらに、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットであり、第２のシンボルセットが位置する上りリンクサブフレームはシンボル2を含み、シンボル2内の第２の時間は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間であり、シンボル2は、第２のシンボルセット内のシンボルと重複しない。
【０１１５】
この実施例において提供される上りリンク情報送信方法では、ターゲットキャリアの第１のシンボルセット上で上りリンク情報を送出するための指示情報を取得した後に、端末デバイスは、第１のシンボルセットの前に、端末デバイスがチャネルにアクセスすることを許可されるか否かを検出する。チャネルにアクセスすることを許可される場合、端末デバイスは、第１のシンボルセット上で上りリンク情報を送出する。端末デバイスが第１のシンボルセットの前の隣接するシンボルセット上で上りリンク情報を送出しないと決定した場合、アクセスネットワークデバイスは、第１のシンボルセット上で上りリンク情報を受信する。したがって、アクセスネットワークデバイスにより端末デバイスに対してスケジューリングされる複数のシンボルセットが１つのチャネル検出を共有するとき、前のシンボルセットのチャネル検出結果が、端末デバイスがチャネルにアクセスすることを許可されないというものである場合、端末デバイスは、次のシンボルセット上で上りリンク情報を送出することを更に試みてもよく、それにより、チャネル使用効率を改善する。
【０１１６】
図９に示す方法のプロセスについて、具体的な実施例を使用することにより、以下に詳細に説明する。
【０１１７】
端末デバイスは、ターゲットキャリアの第１のシンボルセット上で第１の上りリンク情報を送出するための第１の指示情報を取得する。第１の指示情報は、アクセスネットワークデバイスにより端末デバイスに送出された上りリンクスケジューリング許可でもよい。上りリンクスケジューリング許可は、端末デバイスに対して、ターゲットキャリアの第１の上りリンクサブフレーム内の第１のシンボルセット上で上りリンク情報を送出するように命令するために使用される。
【０１１８】
さらに、アクセスネットワークデバイスは、第１のシンボルセットの前の少なくとも１つのシンボルセット上で、上りリンク情報を送出するように端末デバイスを更にスケジューリングする。少なくとも１つのシンボルセットは、アクセスネットワークデバイスにより、第２の上りリンク情報を送出するように端末デバイスをスケジューリングするための第２のシンボルセットを含み、少なくとも１つのシンボルセットに含まれるシンボル内の最後のシンボルは、第１のシンボルセット内の最初のシンボルに時間において隣接する。少なくとも１つのシンボルセットに含まれるシンボルは、端と端で隣接する。例えば、少なくとも１つのシンボルセット内の第１のシンボルセット内の最後のシンボルは、第２のシンボルセット内の最初のシンボルに時間において隣接し、第２のシンボルセット内の最後のシンボルは、第３のシンボルセット内の最初のシンボルに隣接し、...、最後の１つ前のシンボルセット内の最後のシンボルは、最後のシンボルセット内の最初のシンボルに隣接する。例えば、図１０は、本発明による上りリンク情報送信方法の実施例２において、アクセスネットワークデバイスにより送出される指示情報を使用することにより、端末デバイスに対して、ターゲットキャリア上で上りリンク情報を送出するように命令するために使用されるシンボルセットの概略図である。図１０に示すように、アクセスネットワークデバイスは、第１のシンボルセットの前のシンボルセット上で、上りリンク情報を送出するように端末デバイスを更にスケジューリングする。第１のシンボルセットの前のシンボルセットは第２のシンボルセットである。アクセスネットワークデバイスが、第２のシンボルセット上で、送出するように端末デバイスをスケジューリングする上りリンク情報は、第２の上りリンク情報であり、第２のシンボルセットに含まれるシンボル内の最後のシンボルは、第１のシンボルセット内の最初のシンボルに時間において隣接する。更なる例では、図１１に示すように、図１１は、本発明による上りリンク情報送信方法の実施例２において、アクセスネットワークデバイスにより送出される指示情報を使用することにより、端末デバイスに対して、ターゲットキャリア上で上りリンク情報を送出するように命令するために使用されるシンボルセットの他の概略図である。アクセスネットワークデバイスは、第１のシンボルセットの前のK個のシンボルセット上で、上りリンク情報を送出するように端末デバイスを更にスケジューリングする。第１のシンボルセットの前のK個のシンボルセット内の最初のシンボルセットは第２のシンボルセットである。アクセスネットワークデバイスが、第２のシンボルセット上で、送出するように端末デバイスをスケジューリングする上りリンク情報は、第２の上りリンク情報であり、K個のシンボルセットに含まれるシンボル内の最後のシンボルは、第１のシンボルセット内の最初のシンボルに時間において隣接し、すなわち、K個のシンボルセットのそれぞれ２つは時間において隣接する。
【０１１９】
アクセスネットワークデバイスは、第１のシンボルセットの前の少なくとも１つのシンボルセット上で、上りリンク情報を送出するように端末デバイスをスケジューリングする。第２の上りリンク情報を送出するように端末デバイスをスケジューリングすることは、アクセスネットワークデバイスにより送出された第２の指示情報を使用することにより、端末デバイスに指示されてもよい。第２の指示情報及び第１の指示情報は、１つの上りリンクスケジューリング許可情報内の情報でもよく、或いは互いに独立した上りリンクスケジューリング許可内の情報でもよい。アクセスネットワークデバイスは、第１のシンボルセット上で第１の上りリンク情報を送出するように端末デバイスをスケジューリングし、第１のシンボルセットの前の少なくとも１つのシンボルセット上で上りリンク情報を送出するように端末デバイスをスケジューリングするために、上りリンクスケジューリング許可を１回送出してもよい。さらに、第１のシンボルセットの前の少なくとも１つのシンボルセットは、第２のシンボルセットを含む。アクセスネットワークデバイスは、ここで第２のシンボルセット上で第２の上りリンク情報を送出するように端末デバイスをスケジューリングする。代替として、アクセスネットワークデバイスは、第１のシンボルセット上で第１の上りリンク情報を送出するように端末デバイスをスケジューリングし、第１のシンボルセットの前の少なくとも１つのシンボルセットのそれぞれの上で上りリンク情報を送出するように端末デバイスをスケジューリングするために、上りリンクスケジューリング許可を別々に送出してもよい。
【０１２０】
さらに、第２のシンボルセットが位置する上りリンクサブフレームはシンボル2を含む。シンボル2は、少なくとも１つのシンボルを含み、例えば、１つのシンボル又は２つのシンボルを含む。シンボル2内の第２の時間は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間である。シンボル2は、第２のシンボルセット内のシンボルと重複しない。例えば、アクセスネットワークデバイスが、第２のシンボルセット上で、送出するように端末デバイスをスケジューリングする上りリンク情報は、第２の上りリンク情報であり、第２のシンボルセットに含まれるシンボル内の最後のシンボルは、第１のシンボルセット内の最初のシンボルに時間において隣接する。第２のシンボルセットが位置する上りリンクサブフレームは第２の上りリンクサブフレームであり、第１のシンボルセットが位置する上りリンクサブフレームは第１の上りリンクサブフレームである。図１２は、本発明による上りリンク情報送信方法の実施例２におけるシンボル1、第１の時間、シンボル2及び第２の時間の概略図である。図１２に示すように、第２の上りリンクサブフレーム内の最初のシンボルは、シンボル2であり、第２のシンボルセットは、第２の上りリンクサブフレーム内の第２〜第１４のシンボルを含む。シンボル2内の第２の時間の全部又は一部は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間である。
【０１２１】
具体的には、アンライセンススペクトル上のキャリアの上りリンクサブフレームに含まれ且つ端末デバイス又は他の端末デバイスがターゲットキャリアのチャネルにアクセスすることを許可されるか否かを検出するために端末デバイス又は他の端末デバイスにより使用される時間は、上りリンクサブフレーム内の最初のシンボル又は最初の２つのシンボルにより占有される時間内の時間でもよく、或いは上りリンクサブフレーム内の最後のシンボル又は最後の２つのシンボルにより占有される時間内の時間でもよい。任意選択で、アンライセンススペクトル上のキャリアの上りリンクサブフレームに含まれ且つ端末デバイス又は他の端末デバイスがターゲットキャリアのチャネルにアクセスすることを許可されるか否かを検出するために端末デバイス又は他の端末デバイスにより使用される時間は、上りリンクサブフレーム内で決定されたシンボルインデックス上のシンボルにより占有される時間内の時間である。各上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間は、場合によっては、端末デバイス又は他の端末デバイスがターゲットキャリアのチャネルにアクセスすることを許可されるか否かを検出するために端末デバイス又は他の端末デバイスにより使用される時間である。しかし、上りリンクサブフレームについて、上りリンクサブフレーム内で参照シンボルセット内のシンボルにより占有される時間は、端末デバイスがターゲットキャリアのチャネルにアクセスすることを許可されるか否かを検出するために端末デバイスにより本当に使用されなくてもよい。上りリンクサブフレーム内で、データを送出するために、少なくとも１つの端末デバイスがチャネルにアクセスすることを許可されるか否かを検出する必要がある少なくとも１つの端末デバイスが存在するとき、且つアクセスネットワークデバイスが上りリンクサブフレーム内でデータを送出するように端末デバイスをスケジューリングするとき、アクセスネットワークデバイスの指示情報は、端末デバイスに対して、上りリンクサブフレーム内にあり且つ端末デバイス又は他の端末デバイスがターゲットキャリアのチャネルにアクセスすることを許可されるか否かを端末デバイス又は他の端末デバイスが検出する時間を含まない時間内にデータを送出するように命令し、端末デバイスがチャネルにアクセスすることを許可されるか否かを検出する必要がある端末デバイスが、チャネルにアクセスすることを許可される検出結果を取得するのを助ける。上りリンクサブフレーム内で、データを送出するために、端末デバイスがチャネルにアクセスすることを許可されるか否かを検出する必要がある端末デバイスが存在しないとき、且つアクセスネットワークデバイスが上りリンクサブフレーム内でデータを送出するように端末デバイスをスケジューリングするとき、アクセスネットワークデバイスの指示情報は、端末デバイスに対して、上りリンクサブフレーム内にあり且つ端末デバイス又は他の端末デバイスがターゲットキャリアのチャネルにアクセスすることを許可されるか否かを端末デバイス又は他の端末デバイスが検出する時間を含む時間内にデータを送出するように命令する。
【０１２２】
さらに、ターゲットキャリアの第１のシンボルセット上で第１の上りリンク情報を送出する前に、端末デバイスは、第１のシンボルセット内の最初のシンボルの前のシンボル1内の第１の時間内に、端末デバイスがターゲットキャリアのチャネルにアクセスすることを許可されることを検出する。シンボル1は、少なくとも１つのシンボルを含み、例えば、１つのシンボル又は２つのシンボルを含む。さらに、端末デバイスは、第２の時間内に、端末デバイスがターゲットキャリアのチャネルにアクセスすることを許可されないことを検出する。代替として、端末デバイスは、第２の指示情報を受信しない。第２の時間は、シンボル2により占有される時間の全部又は一部である。第１の時間は、シンボル1内の時間の全部又は一部である。図１２に示すように、端末デバイスは、第２の時間内に、端末デバイスがターゲットキャリアのチャネルにアクセスすることを許可されないことを検出し、したがって、第２のシンボルセット上で第２の上りリンク情報を送出できない。端末デバイスは、第１の時間内に、端末デバイスがターゲットキャリアのチャネルにアクセスすることを許可されることを検出し、したがって、第１のシンボルセット上で第１の上りリンク情報を送出する。明らかに、第１の時間内に、端末デバイスがターゲットキャリアのチャネルにアクセスすることを許可されないことを検出した場合、端末デバイスは、第１のシンボルセット上で第１の上りリンク情報を送出しない。
【０１２３】
さらに、他の場合、端末デバイスは、第２のシンボルセット上で第２の上りリンク情報を送出するように端末デバイスをスケジューリングするために使用される第２の指示情報を受信しなくてもよい。この場合、第１の時間内に、端末デバイスがターゲットキャリアのチャネルにアクセスすることを許可されることを検出した場合、端末デバイスは、第１のシンボルセット上で第１の上りリンク情報を送出する。この場合、第２のシンボルセット上で第２の上りリンク情報を送出するように端末デバイスをスケジューリングするために使用される第２の指示情報、及び第１のシンボルセット上で第１の上りリンク情報を送出するように端末デバイスをスケジューリングするために使用される第１の指示情報は、互いに独立した上りリンクスケジューリング許可内の情報である。
【０１２４】
この実施例の前述の例では、第１の上りリンク情報は、サウンディング参照信号SRS及び／又はPUSCHを含み、及び／又は第２の上りリンク情報は、SRS及び／又はPUSCHを含む。
【０１２５】
前述の例では、シンボル1は、第１のシンボルセット内の最初のシンボルに時間において隣接し、シンボル1は、第１のシンボルセットが位置する上りリンクサブフレームの前の上りリンクサブフレームに位置する。
【０１２６】
前述の例では、シンボル2及びシンボル1のシンボルインデックスは、それぞれの上りリンクサブフレーム内で互いに異なる。例えば、図１２では、シンボル2は、上りリンクサブフレーム内の最初のシンボルであり、シンボル1は、上りリンクサブフレーム内の最後のシンボルである。
【０１２７】
他の実現方式では、第２のシンボルセットが位置する上りリンクサブフレーム及び第１のシンボルセットが位置する上りリンクサブフレームは、同じサブフレームでもよく、すなわち、第２の上りリンクサブフレーム及び第１の上りリンクサブフレームは同じサブフレームである。シンボル2は、第２のシンボルセット内のシンボルと重複しない。シンボル2内の第２の時間の全部又は一部は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間である。ターゲットキャリアの第１のシンボルセット上で第１の上りリンク情報を送出する前に、端末デバイスは、第１のシンボルセット内の最初のシンボルの前のシンボル1内の第１の時間内に、端末デバイスがターゲットキャリアのチャネルにアクセスすることを許可されることを検出する。シンボル1は、少なくとも１つのシンボルを含み、例えば、１つのシンボル又は２つのシンボルを含む。さらに、端末デバイスは、第２の時間内に、端末デバイスがターゲットキャリアのチャネルにアクセスすることを許可されないことを検出する。代替として、端末デバイスは、第２の指示情報を受信しない。第２の時間は、シンボル2により占有される時間の全部又は一部である。第１の時間は、シンボル1内の時間の全部又は一部である。図１３は、本発明による上りリンク情報送信方法の実施例２におけるシンボル1、第１の時間、シンボル2及び第２の時間の概略図である。図１３に示すように、第１の上りリンクサブフレーム（すなわち、第２の上りリンクサブフレーム）内の最初のシンボルはシンボル2であり、第２のシンボルセットは第１の上りリンクサブフレーム内の第２のシンボルである。第１の上りリンクサブフレーム内の第２のシンボルはシンボル1であり、第２の上りリンク情報はSRSである。端末デバイスは、第２の時間内に、端末デバイスがターゲットキャリアのチャネルにアクセスすることを許可されないことを検出し、したがって、第２のシンボルセット上で第２の上りリンク情報を送出できない。端末デバイスは、第１の時間内に、端末デバイスがターゲットキャリアのチャネルにアクセスすることを許可されることを検出し、したがって、第１のシンボルセット上で第１の上りリンク情報を送出する。明らかに、第１の時間内に、端末デバイスがターゲットキャリアのチャネルにアクセスすることを許可されないことを検出した場合、端末デバイスは、第１のシンボルセット上で第１の上りリンク情報を送出しない。
【０１２８】
さらに、他の場合、端末デバイスは、第２のシンボルセット上で第２の上りリンク情報を送出するように端末デバイスをスケジューリングするために使用される第２の指示情報を受信しなくてもよい。この場合、第１の時間内に、端末デバイスがターゲットキャリアのチャネルにアクセスすることを許可されることを検出した場合、端末デバイスは、第１のシンボルセット上で第１の上りリンク情報を送出する。この場合、第２のシンボルセット上で第２の上りリンク情報を送出するように端末デバイスをスケジューリングするために使用される第２の指示情報、及び第１のシンボルセット上で第１の上りリンク情報を送出するように端末デバイスをスケジューリングするために使用される第１の指示情報は、互いに独立した上りリンクスケジューリング許可内の情報である。
【０１２９】
この実施例の前述の例では、第１の上りリンク情報は、サウンディング参照信号SRS及び／又は上りリンクデータを含み、及び／又は第２の上りリンク情報は、サウンディング参照信号SRS及び／又は上りリンクデータを含む。
【０１３０】
前述の例では、シンボル1は、第１のシンボルセット内の最初のシンボルに時間において隣接し、シンボル1は、第１のシンボルセットが位置する上りリンクサブフレームに位置する。
【０１３１】
前述の例では、シンボル2及びシンボル1のシンボルインデックスは、上りリンクサブフレーム内で互いに異なる。例えば、図１３では、シンボル2は、上りリンクサブフレーム内の最初のシンボルであり、上りリンクサブフレーム内で0のシンボルインデックスを有する。シンボル1は、上りリンクサブフレーム内の第２のシンボルであり、上りリンクサブフレーム内で1のシンボルインデックスを有する。
【０１３２】
図１４は、本発明の実施例による端末デバイスの実施例１の概略構成図である。図１４に示すように、端末デバイスは、受信モジュール11と、送出モジュール12とを含む。受信モジュール11は、ターゲットキャリアの第１のシンボルセット上で上りリンク情報を送出するための指示情報を取得するように構成される。送出モジュール12は、第１のシンボルセットにより占有される時間内の第２の時間内に上りリンク情報を送出するように構成される。第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、端末デバイスが上りリンク情報を送出するようにスケジューリングされるシンボルセットである。
【０１３３】
任意選択で、第１の時間は、第１のシンボルセット内の最初のシンボル又は最初の２つのシンボルにより占有される時間である。
【０１３４】
図１５は、本発明の実施例による端末デバイスの実施例２の概略構成図である。図１５に示すように、図１４に示す端末デバイスに基づいて、さらに、端末デバイスは、処理モジュール13を更に含んでもよい。処理モジュール13は、送出モジュール12が第１のシンボルセットにより占有される時間内の第２の時間内に上りリンク情報を送出する前に、第１の時間の全部又は一部の中で、端末デバイスがターゲットキャリアのチャネルにアクセスすることを許可されることを検出するように構成される。
【０１３５】
さらに、送出モジュール12は、第２のシンボルセット上で上りリンク情報を送出しない。
【０１３６】
第１のシンボルセットは、第１のシンボルセットが位置する上りリンクサブフレーム内において参照シンボルセット内のシンボルを含むか、或いは
第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まず、参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために処理モジュール13又は他の端末デバイスにより使用される時間により占有される時間である。
【０１３７】
具体的には、上りリンク情報は、SRS及び／又はPUSCHを含む。
【０１３８】
図１４及び図１５に示す端末デバイスは、図１に示す前述の方法の実施例を実行するように構成され、その実現原理及び技術的効果は同様であり、詳細はここでは再び説明しない。
【０１３９】
図１６は、本発明の実施例によるアクセスネットワークデバイスの実施例１の概略構成図である。図１６に示すように、この実施例におけるアクセスネットワークデバイスは、送出モジュール21と、受信モジュール22とを含む。送出モジュール21は、端末デバイスに対して、ターゲットキャリアの第１のシンボルセット上で上りリンク情報を送出するように命令するために使用される指示情報を送出するように構成される。受信モジュール22は、第１のシンボルセットにより占有される時間内の第２の時間内に上りリンク情報を受信するように構成される。第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、アクセスネットワークデバイスが上りリンク情報を送出するように端末デバイスをスケジューリングするシンボルセットである。
【０１４０】
任意選択で、第１の時間は、第１のシンボルセット内の最初のシンボル又は最初の２つのシンボルにより占有される時間である。
【０１４１】
図１７は、本発明の実施例によるアクセスネットワークデバイスの実施例２の概略構成図である。図１７に示すように、図１６に示すアクセスネットワークデバイスに基づいて、さらに、アクセスネットワークデバイスは、処理モジュール23を更に含んでもよい。処理モジュール23は、端末デバイスが第２のシンボルセット上で上りリンク情報を送出しないと決定するように構成される。
【０１４２】
さらに、第１のシンボルセットは、第１のシンボルセットが位置する上りリンクサブフレーム内において参照シンボルセット内のシンボルを含む。代替として、第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まない。参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間により占有されるシンボルである。
【０１４３】
具体的には、上りリンク情報は、SRS及び／又はPUSCHを含む。
【０１４４】
図１６及び図１７に示すアクセスネットワークデバイスは、図１に示す前述の方法の実施例を実行するように構成され、その実現原理及び技術的効果は同様であり、詳細はここでは再び説明しない。
【０１４５】
図１８は、本発明の実施例による端末デバイスの実施例３の概略構成図である。図１８に示すように、端末デバイスは、受信モジュール31と、送出モジュール32とを含む。受信モジュール31は、ターゲットキャリアの第１のシンボルセット上で第１の上りリンク情報を送出するための第１の指示情報を取得するように構成される。送出モジュール32は、第１のシンボルセット上で第１の上りリンク情報を送出するように構成される。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。
【０１４６】
図１９は、本発明の実施例による端末デバイスの実施例４の概略構成図である。図１９に示すように、図１８に示す端末デバイスに基づいて、端末デバイスは、処理モジュール33を更に含んでもよい。処理モジュール33は、送出モジュール32が第１のシンボルセット上で第１の上りリンク情報を送出する前に、第１のシンボルセット内の最初のシンボルの前のシンボル1内の第１の時間内に、端末デバイスがターゲットキャリアのチャネルにアクセスすることを許可されることを検出するように構成される。
【０１４７】
図１８及び図１９に示す端末デバイスにおいて、さらに、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間は、第２のシンボルセットが位置する上りリンクサブフレーム内にあり且つ端末デバイス又は他の端末デバイスがターゲットキャリアのチャネルにアクセスすることを許可されるか否かを検出するために処理モジュール33又は他の端末デバイスにより使用される時間であり、シンボル2は、第２のシンボルセット内のシンボルと重複しない。
【０１４８】
任意選択で、処理モジュール33は、第２の時間内に、端末デバイスがターゲットキャリアのチャネルにアクセスすることを許可されないことを検出する。代替として、受信モジュール31は、第２の指示情報を受信しない。
【０１４９】
任意選択で、シンボル1は、第１のシンボルセット内の最初のシンボルに時間において隣接する。
【０１５０】
具体的には、第１の上りリンク情報は、SRS及び／又はPUSCHを含み、及び／又は第２の上りリンク情報は、SRS及び／又はPUSCHを含む。
【０１５１】
図１８及び図１９に示す端末デバイスは、図９に示す前述の方法の実施例を実行するように構成され、その実現原理及び技術的効果は同様であり、詳細はここでは再び説明しない。
【０１５２】
図２０は、本発明の実施例によるアクセスネットワークデバイスの実施例３の概略構成図である。図２０に示すように、この実施例におけるアクセスネットワークデバイスは、送出モジュール41と、受信モジュール42とを含む。送出モジュール41は、端末デバイスに対して、ターゲットキャリアの第１のシンボルセット上で第１の上りリンク情報を送出するように命令するために使用される第１の指示情報を送出するように構成される。受信モジュール42は、第１のシンボルセット上で第１の上りリンク情報を受信するように構成される。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。
【０１５３】
図２１は、本発明の実施例によるアクセスネットワークデバイスの実施例４の概略構成図である。図２１に示すように、図２０に示すアクセスネットワークデバイスに基づいて、さらに、アクセスネットワークデバイスは、処理モジュール43を更に含んでもよい。処理モジュール43は、端末デバイスが少なくとも１つのシンボルセット又は第１のシンボルセットに隣接するシンボルセット上で上りリンク情報を送出しないと決定するように構成される。
【０１５４】
前述の実施例では、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間の全部又は一部は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間であり、シンボル2は、第２のシンボルセット内のシンボルと重複しない。
【０１５５】
具体的には、第１の上りリンク情報は、サウンディング参照信号SRS及び／又は物理上りリンク共有チャネルPUSCHを含み、及び／又は第２の上りリンク情報は、SRS及び／又はPUSCHを含む。
【０１５６】
図２０及び図２１に示すアクセスネットワークデバイスは、図９に示す前述の方法の実施例を実行するように構成され、その実現原理及び技術的効果は同様であり、詳細はここでは再び説明しない。
【０１５７】
図２２は、本発明の実施例による端末デバイスの実施例５の概略構成図である。図２２に示すように、端末デバイスは、受信機51と、送信機52とを含む。受信機51は、ターゲットキャリアの第１のシンボルセット上で上りリンク情報を送出するための指示情報を取得するように構成される。送信機52は、第１のシンボルセットにより占有される時間内の第２の時間内に上りリンク情報を送出するように構成される。第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、端末デバイスが上りリンク情報を送出するようにスケジューリングされるシンボルセットである。
【０１５８】
任意選択で、第１の時間は、第１のシンボルセット内の最初のシンボル又は最初の２つのシンボルにより占有される時間である。
【０１５９】
図２３は、本発明の実施例による端末デバイスの実施例６の概略構成図である。図２３に示すように、図２２に示す端末デバイスに基づいて、さらに、端末デバイスは、プロセッサ53を更に含んでもよい。プロセッサ53は、送信機52が第１のシンボルセットにより占有される時間内の第２の時間内に上りリンク情報を送出する前に、第１の時間の全部又は一部の中で、端末デバイスがターゲットキャリアのチャネルにアクセスすることを許可されることを検出するように構成される。
【０１６０】
さらに、送信機52は、第２のシンボルセット上で上りリンク情報を送出しない。
【０１６１】
第１のシンボルセットは、第１のシンボルセットが位置する上りリンクサブフレーム内において参照シンボルセット内のシンボルを含むか、或いは
第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まず、参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するためにプロセッサ53又は他の端末デバイスにより使用される時間により占有される時間である。
【０１６２】
具体的には、上りリンク情報は、SRS及び／又はPUSCHを含む。
【０１６３】
図２２及び図２３に示す端末デバイスは、図１に示す前述の方法の実施例を実行するように構成され、その実現原理及び技術的効果は同様であり、詳細はここでは再び説明しない。
【０１６４】
図２４は、本発明の実施例によるアクセスネットワークデバイスの実施例５の概略構成図である。図２４に示すように、この実施例におけるアクセスネットワークデバイスは、送信機61と、受信機62とを含む。送信機61は、端末デバイスに対して、ターゲットキャリアの第１のシンボルセット上で上りリンク情報を送出するように命令するために使用される指示情報を送出するように構成される。受信機62は、第１のシンボルセットにより占有される時間内の第２の時間内に上りリンク情報を受信するように構成される。第２の時間は、第１の時間以外の第１のシンボルセットにより占有される時間内の時間であり、第２の時間は、端末デバイスが上りリンク情報を送出するためにターゲットキャリアのチャネルにアクセスすることを許可される時間である。第１のシンボルセットの前に第２のシンボルセットが存在し、第２のシンボルセット内の最後のシンボルは、第１のシンボルセット内の最初のシンボルに時間において隣接し、第２のシンボルセット及び第１のシンボルセットは、アクセスネットワークデバイスが上りリンク情報を送出するように端末デバイスをスケジューリングするシンボルセットである。
【０１６５】
任意選択で、第１の時間は、第１のシンボルセット内の最初のシンボル又は最初の２つのシンボルにより占有される時間である。
【０１６６】
図２５は、本発明の実施例によるアクセスネットワークデバイスの実施例６の概略構成図である。図２５に示すように、図２４に示すアクセスネットワークデバイスに基づいて、さらに、アクセスネットワークデバイスは、プロセッサ63を更に含んでもよい。プロセッサ63は、端末デバイスが第２のシンボルセット上で上りリンク情報を送出しないと決定するように構成される。
【０１６７】
さらに、第１のシンボルセットは、第１のシンボルセットが位置する上りリンクサブフレーム内において参照シンボルセット内のシンボルを含む。代替として、第１のシンボルセットは、第１のシンボルセットが位置する上りリンクサブフレーム内において参照シンボルセット内のシンボルを含まず、第１のシンボルセットが位置する上りリンクサブフレーム内において参照シンボルセットの後に少なくとも１つのシンボルを含まない。参照シンボルセット内のシンボルは、第１のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間により占有されるシンボルである。
【０１６８】
具体的には、上りリンク情報は、SRS及び／又はPUSCHを含む。
【０１６９】
図２４及び図２５に示すアクセスネットワークデバイスは、図１に示す前述の方法の実施例を実行するように構成され、その実現原理及び技術的効果は同様であり、詳細はここでは再び説明しない。
【０１７０】
図２６は、本発明の実施例による端末デバイスの実施例７の概略構成図である。図２６に示すように、端末デバイスは、受信機71と、送信機72とを含む。受信機71は、ターゲットキャリアの第１のシンボルセット上で第１の上りリンク情報を送出するための第１の指示情報を取得するように構成される。送信機72は、第１のシンボルセット上で第１の上りリンク情報を送出するように構成される。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。
【０１７１】
図２７は、本発明の実施例による端末デバイスの実施例８の概略構成図である。図２７に示すように、図２６に示す端末デバイスに基づいて、さらに、端末デバイスは、プロセッサ73を更に含んでもよい。プロセッサ73は、送信機72が第１のシンボルセット上で第１の上りリンク情報を送出する前に、第１のシンボルセット内の最初のシンボルの前のシンボル1内の第１の時間内に、端末デバイスがターゲットキャリアのチャネルにアクセスすることを許可されることを検出するように構成される。
【０１７２】
図２６及び図２７に示す端末デバイスにおいて、さらに、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間は、第２のシンボルセットが位置する上りリンクサブフレーム内にあり且つ端末デバイス又は他の端末デバイスがターゲットキャリアのチャネルにアクセスすることを許可されるか否かを検出するためにプロセッサ73又は他の端末デバイスにより使用される時間であり、シンボル2は、第２のシンボルセット内のシンボルと重複しない。
【０１７３】
任意選択で、プロセッサ73は、第２の時間内に、端末デバイスがターゲットキャリアのチャネルにアクセスすることを許可されないことを検出する。代替として、受信機71は、第２の指示情報を受信しない。
【０１７４】
任意選択で、シンボル1は、第１のシンボルセット内の最初のシンボルに時間において隣接する。
【０１７５】
具体的には、第１の上りリンク情報は、SRS及び／又はPUSCHを含み、及び／又は第２の上りリンク情報は、SRS及び／又はPUSCHを含む。
【０１７６】
図２６及び図２７に示す端末デバイスは、図９に示す前述の方法の実施例を実行するように構成され、その実現原理及び技術的効果は同様であり、詳細はここでは再び説明しない。
【０１７７】
図２８は、本発明の実施例によるアクセスネットワークデバイスの実施例７の概略構成図である。図２８に示すように、この実施例におけるアクセスネットワークデバイスは、送信機81と、受信機82とを含む。送信機81は、端末デバイスに対して、ターゲットキャリアの第１のシンボルセット上で第１の上りリンク情報を送出するように命令するために使用される第１の指示情報を送出するように構成される。受信機82は、第１のシンボルセット上で第１の上りリンク情報を受信するように構成される。第１のシンボルセットの前にあり且つアクセスネットワークデバイスが第２の上りリンク情報を送出するように端末デバイスをスケジューリングするシンボルセットである少なくとも１つのシンボルセットが存在し、少なくとも１つのシンボルセットに含まれるシンボル内の最後のシンボルは、第１のシンボルセット内の最初のシンボルに時間において隣接する。
【０１７８】
図２９は、本発明の実施例によるアクセスネットワークデバイスの実施例８の概略構成図である。図２９に示すように、図２８に示すアクセスネットワークデバイスに基づいて、さらに、アクセスネットワークデバイスは、プロセッサ83を更に含んでもよい。プロセッサ83は、端末デバイスが少なくとも１つのシンボルセット又は第１のシンボルセットに隣接するシンボルセット上で上りリンク情報を送出しないと決定するように構成される。
【０１７９】
前述の実施例では、少なくとも１つのシンボルセットは第２のシンボルセットを含み、第２のシンボルセットは、アクセスネットワークデバイスが、第２の指示情報を使用することにより、端末デバイスに対して、第２の上りリンク情報を送出するように命令するシンボルセットである。第２のシンボルセットが位置する上りリンクサブフレームはシンボル2を含み、シンボル2内の第２の時間の全部又は一部は、第２のシンボルセットが位置する上りリンクサブフレーム内にあり且つ端末デバイス又は他の端末デバイスがターゲットキャリアのチャネルにアクセスすることを許可されるか否かを検出するために端末デバイス又は他の端末デバイスにより使用される時間であり、シンボル2は、第２のシンボルセット内のシンボルと重複しない。
【０１８０】
具体的には、第１の上りリンク情報は、サウンディング参照信号SRS及び／又は物理上りリンク共有チャネルPUSCHを含み、及び／又は第２の上りリンク情報は、SRS及び／又はPUSCHを含む。
【０１８１】
図２８及び図２９に示すアクセスネットワークデバイスは、図９に示す前述の方法の実施例を実行するように構成され、その実現原理及び技術的効果は同様であり、詳細はここでは再び説明しない。
【０１８２】
この明細書における実施例は、全て段階的な方式で記載されており、実施例における同じ或いは同様の部分について、これらの実施例を参照し、各実施例は、他の実施例との相違に焦点を当てている。特に、装置の実施例は方法の実施例と基本的に同様であり、したがって、簡単に記載されている。関係する部分については、方法の実施例における部分的な説明を参照する。
【０１８３】
当業者は、この出願の各態様及び各態様の可能な実現方式は、システム、方法又はコンピュータプログラムプロダクトとして具体的に実現されてもよいことを理解し得る。したがって、この出願の各態様又は各態様の可能な実現方式は、ハードウェアのみの実施例、ソフトウェアのみの実施例（ファームウェア、常駐ソフトウェア等を含む）又はソフトウェアとハードウェアとの組み合わせを有する実施例の形式を使用してもよく、これらは、ここでは一律に「回路」、「モジュール」又は「システム」と呼ばれる。さらに、この出願の各態様又は各態様の可能な実現方式は、コンピュータプログラムプロダクトの形式を取ってもよく、コンピュータプログラムプロダクトは、コンピュータ読み取り可能媒体に記憶されたコンピュータ読み取り可能プログラムコードを示す。
【０１８４】
コンピュータ読み取り可能媒体は、コンピュータ読み取り可能信号媒体又はコンピュータ読み取り可能記憶媒体でもよい。コンピュータ読み取り可能記憶媒体は、ランダムアクセスメモリ（RAM）、読み取り専用メモリ（ROM）、消去可能プログラム可能読み取り専用メモリ（EPROM又はフラッシュメモリ）、光ファイバ及びポータブル読み取り専用メモリ（CD-ROM）のような、電子、磁気、光、電磁気、赤外線若しくは半導体のシステム、デバイス若しくは装置、又はこれらのいずれか適切な組み合わせを含むが、これらに限定されない。
【０１８５】
コンピュータ内のプロセッサは、コンピュータ読み取り可能媒体に記憶されたコンピュータ読み取り可能プログラムコードを読み取り、それにより、プロセッサは、フローチャート内の各ステップ又はステップの組み合わせで指定された機能及び動作を実行でき、ブロック図内の各ブロック又はブロックの組み合わせで指定された機能及び動作を実現するための装置が生成される。
【０１８６】
全てのコンピュータ読み取り可能プログラムコードは、ユーザのローカルコンピュータ上で実行されてもよく、或いはいくつかはスタンドアローンソフトウェアパッケージとしてユーザのローカルコンピュータ上で実行されてもよく、或いはいくつかがリモートコンピュータ上で実行されつつ、いくつかがユーザのローカルコンピュータ上で実行されてもよく、或いは全てのコードがリモートコンピュータ又はサーバ上で実行されてもよい。いくつかの代替の実現方式の解決策では、フローチャート内の各ステップ又はブロック図内の各ブロックで指定された機能は、示された順序で生じなくてもよい点に留意するべきである。例えば、関与する機能に依存しており且つ順に示されている２つのステップ又はブロックは、実際には同時に実行されてもよく、或いは場合によってはこれらのブロックは、逆の順序で実行されてもよい。
【０１８７】
明らかに、当業者は、本発明の真意及び範囲を逸脱することなく、この出願に対して様々な修正及び変更を行うことができる。この出願は、以下の特許請求の範囲及びこれらの等価な技術により定義される保護の範囲内に入るという条件で、この出願のこれらの修正及び変更をカバーすることを意図する。
【図１】
2019512988.tif 000003
【図２】
2019512988.tif 000004
【図３】
2019512988.tif 000005
【図４】
2019512988.tif 000006
【図５】
2019512988.tif 000007
【図６】
2019512988.tif 000008
【図７】
2019512988.tif 000009
【図８】
2019512988.tif 000010
【図９】
2019512988.tif 000011
【図１０】
2019512988.tif 000012
【図１１】
2019512988.tif 000013
【図１２】
2019512988.tif 000014
【図１３】
2019512988.tif 000015
【図１４】
2019512988.tif 000016
【図１５】
2019512988.tif 000017
【図１６】
2019512988.tif 000018
【図１７】
2019512988.tif 000019
【図１８】
2019512988.tif 000020
【図１９】
2019512988.tif 000021
【図２０】
2019512988.tif 000022
【図２１】
2019512988.tif 000023
【図２２】
2019512988.tif 000024
【図２３】
2019512988.tif 000025
【図２４】
2019512988.tif 000026
【図２５】
2019512988.tif 000027
【図２６】
2019512988.tif 000028
【図２７】
2019512988.tif 000029
【図２８】
2019512988.tif 000030
【図２９】
2019512988.tif 000031
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
上りリンク情報送信方法であって、
端末デバイスにより、ターゲットキャリアの第１のシンボルセット上で第１の上りリンク情報を送出するための第１の指示情報を取得するステップと、
前記端末デバイスにより、前記第１のシンボルセット上で前記第１の上りリンク情報を送出するステップと
を含み、
前記第１のシンボルセットの前にあり且つアクセスネットワークデバイスが第２の上りリンク情報を送出するように前記端末デバイスをスケジューリングするシンボルセットである少なくとも１つのシンボルセットが存在し、前記少なくとも１つのシンボルセットに含まれるシンボル内の最後のシンボルは、前記第１のシンボルセット内の最初のシンボルに時間において隣接する、方法。
【請求項２】
前記端末デバイスにより、前記第１のシンボルセット上で前記第１の上りリンク情報を送出する前に、
前記端末デバイスにより、前記第１のシンボルセット内の最初のシンボルの前のシンボル1内の第１の時間内に、前記端末デバイスが前記ターゲットキャリアのチャネルにアクセスすることを許可されることを検出するステップを更に含む、請求項１に記載の方法。
【請求項３】
前記少なくとも１つのシンボルセットは第２のシンボルセットを含み、前記第２のシンボルセットは、前記アクセスネットワークデバイスが、第２の指示情報を使用することにより、前記端末デバイスに対して、前記第２の上りリンク情報を送出するように命令するシンボルセットであり、前記第２のシンボルセットが位置する上りリンクサブフレームはシンボル2を含み、前記シンボル2内の第２の時間は、前記第２のシンボルセットが位置する前記上りリンクサブフレーム内にあり且つ前記端末デバイス又は他の端末デバイスが前記ターゲットキャリアの前記チャネルにアクセスすることを許可されるか否かを検出するために前記端末デバイス又は前記他の端末デバイスにより使用される時間であり、前記シンボル2は、前記第２のシンボルセット内のシンボルと重複しない、請求項１又は２に記載の方法。
【請求項４】
前記端末デバイスは、前記第２の時間内に、前記端末デバイスが前記ターゲットキャリアの前記チャネルにアクセスすることを許可されないことを検出するか、或いは
前記端末デバイスは、前記第２の指示情報を受信しない、請求項３に記載の方法。
【請求項５】
前記シンボル1は、前記第１のシンボルセット内の最初のシンボルに時間において隣接する、請求項３又は４に記載の方法。
【請求項６】
前記第１の上りリンク情報は、サウンディング参照信号SRS及び／又は物理上りリンク共有チャネルPUSCHを含み、及び／又は前記第２の上りリンク情報は、SRS及び／又はPUSCHを含む、請求項１乃至５のうちいずれか１項に記載の方法。
【請求項７】
上りリンク情報送信方法であって、
アクセスネットワークデバイスにより、端末デバイスに対して、ターゲットキャリアの第１のシンボルセット上で第１の上りリンク情報を送出するように命令するために使用される第１の指示情報を送出するステップと、
前記アクセスネットワークデバイスにより、前記第１のシンボルセット上で前記第１の上りリンク情報を受信するステップと
を含み、
前記第１のシンボルセットの前にあり且つ前記アクセスネットワークデバイスが第２の上りリンク情報を送出するように前記端末デバイスをスケジューリングするシンボルセットである少なくとも１つのシンボルセットが存在し、前記少なくとも１つのシンボルセットに含まれるシンボル内の最後のシンボルは、前記第１のシンボルセット内の最初のシンボルに時間において隣接する、方法。
【請求項８】
前記アクセスネットワークデバイスにより、前記端末デバイスが前記少なくとも１つのシンボルセット又は前記第１のシンボルセットに隣接するシンボルセット上で上りリンク情報を送出しないと決定するステップを更に含む、請求項７に記載の方法。
【請求項９】
前記少なくとも１つのシンボルセットは第２のシンボルセットを含み、前記第２のシンボルセットは、前記アクセスネットワークデバイスが、第２の指示情報を使用することにより、前記端末デバイスに対して、前記第２の上りリンク情報を送出するように命令するシンボルセットであり、前記第２のシンボルセットが位置する上りリンクサブフレームはシンボル2を含み、前記シンボル2内の第２の時間の全部又は一部は、前記第２のシンボルセットが位置する前記上りリンクサブフレーム内にあり且つ前記端末デバイス又は他の端末デバイスが前記ターゲットキャリアのチャネルにアクセスすることを許可されるか否かを検出するために前記端末デバイス又は前記他の端末デバイスにより使用される時間であり、前記シンボル2は、前記第２のシンボルセット内のシンボルと重複しない、請求項７又は８に記載の方法。
【請求項１０】
前記第１の上りリンク情報は、サウンディング参照信号SRS及び／又は物理上りリンク共有チャネルPUSCHを含み、及び／又は前記第２の上りリンク情報は、SRS及び／又はPUSCHを含む、請求項７乃至９のうちいずれか１項に記載の方法。
【請求項１１】
端末デバイスであって、
ターゲットキャリアの第１のシンボルセット上で第１の上りリンク情報を送出するための第１の指示情報を取得するように構成された受信モジュールと、
前記第１のシンボルセット上で前記第１の上りリンク情報を送出するように構成された送出モジュールと
を含み、
前記第１のシンボルセットの前にあり且つアクセスネットワークデバイスが第２の上りリンク情報を送出するように前記端末デバイスをスケジューリングするシンボルセットである少なくとも１つのシンボルセットが存在し、前記少なくとも１つのシンボルセットに含まれるシンボル内の最後のシンボルは、前記第１のシンボルセット内の最初のシンボルに時間において隣接する、端末デバイス。
【請求項１２】
前記送出モジュールが前記第１のシンボルセット上で前記第１の上りリンク情報を送出する前に、前記第１のシンボルセット内の最初のシンボルの前のシンボル1内の第１の時間内に、前記端末デバイスが前記ターゲットキャリアのチャネルにアクセスすることを許可されることを検出するように構成された処理モジュールを更に含む、請求項１１に記載の端末デバイス。
【請求項１３】
前記少なくとも１つのシンボルセットは第２のシンボルセットを含み、前記第２のシンボルセットは、前記アクセスネットワークデバイスが、第２の指示情報を使用することにより、前記端末デバイスに対して、前記第２の上りリンク情報を送出するように命令するシンボルセットであり、前記第２のシンボルセットが位置する上りリンクサブフレームはシンボル2を含み、前記シンボル2内の第２の時間は、前記第２のシンボルセットが位置する前記上りリンクサブフレーム内にあり且つ前記端末デバイス又は他の端末デバイスが前記ターゲットキャリアの前記チャネルにアクセスすることを許可されるか否かを検出するために前記処理モジュール又は前記他の端末デバイスにより使用される時間であり、前記シンボル2は、前記第２のシンボルセット内のシンボルと重複しない、請求項１１又は１２に記載の端末デバイス。
【請求項１４】
前記処理モジュールは、前記第２の時間内に、前記端末デバイスが前記ターゲットキャリアの前記チャネルにアクセスすることを許可されないことを検出するか、或いは
前記受信モジュールは、前記第２の指示情報を受信しない、請求項１３に記載の端末デバイス。
【請求項１５】
前記シンボル1は、前記第１のシンボルセット内の最初のシンボルに時間において隣接する、請求項１３又は１４に記載の端末デバイス。
【請求項１６】
前記第１の上りリンク情報は、サウンディング参照信号SRS及び／又は物理上りリンク共有チャネルPUSCHを含み、及び／又は前記第２の上りリンク情報は、SRS及び／又はPUSCHを含む、請求項１１乃至１５のうちいずれか１項に記載の端末デバイス。
【請求項１７】
アクセスネットワークデバイスであって、
端末デバイスに対して、ターゲットキャリアの第１のシンボルセット上で第１の上りリンク情報を送出するように命令するために使用される第１の指示情報を送出するように構成された送出モジュールと、
前記第１のシンボルセット上で前記第１の上りリンク情報を受信するように構成された受信モジュールと
を含み、
前記第１のシンボルセットの前にあり且つ前記アクセスネットワークデバイスが第２の上りリンク情報を送出するように前記端末デバイスをスケジューリングするシンボルセットである少なくとも１つのシンボルセットが存在し、前記少なくとも１つのシンボルセットに含まれるシンボル内の最後のシンボルは、前記第１のシンボルセット内の最初のシンボルに時間において隣接する、アクセスネットワークデバイス。
【請求項１８】
前記端末デバイスが前記少なくとも１つのシンボルセット又は前記第１のシンボルセットに隣接するシンボルセット上で上りリンク情報を送出しないと決定するように構成された処理モジュールを更に含む、請求項１７に記載のアクセスネットワークデバイス。
【請求項１９】
前記少なくとも１つのシンボルセットは第２のシンボルセットを含み、前記第２のシンボルセットは、前記アクセスネットワークデバイスが、第２の指示情報を使用することにより、前記端末デバイスに対して、前記第２の上りリンク情報を送出するように命令するシンボルセットであり、前記第２のシンボルセットが位置する上りリンクサブフレームはシンボル2を含み、前記シンボル2内の第２の時間の全部又は一部は、前記第２のシンボルセットが位置する前記上りリンクサブフレーム内にあり且つ前記端末デバイス又は他の端末デバイスが前記ターゲットキャリアのチャネルにアクセスすることを許可されるか否かを検出するために前記端末デバイス又は前記他の端末デバイスにより使用される時間であり、前記シンボル2は、前記第２のシンボルセット内のシンボルと重複しない、請求項１７又は１８に記載のアクセスネットワークデバイス。
【請求項２０】
前記第１の上りリンク情報は、サウンディング参照信号SRS及び／又は物理上りリンク共有チャネルPUSCHを含み、及び／又は前記第２の上りリンク情報は、SRS及び／又はPUSCHを含む、請求項１７乃至１９のうちいずれか１項に記載のアクセスネットワークデバイス。
【請求項２１】
コンピュータに請求項１乃至１０のうちいずれか１項に記載の方法を実現させる命令を記録したコンピュータ読み取り可能記憶媒体。
【請求項２２】
コンピュータに請求項１乃至１０のうちいずれか１項に記載の方法を実現させるプログラム。
【手続補正２】
【補正対象書類名】明細書
【補正対象項目名】００２９
【補正方法】変更
【補正の内容】
【００２９】
可能な設計では、端末デバイスは、
送出モジュールが第１のシンボルセットにより占有される時間内の第２の時間内に上りリンク情報を送出する前に、第１の時間の全部又は一部の中で、端末デバイスがターゲットキャリアのチャネルにアクセスすることを許可されることを検出するように構成された処理モジュールを更に含む。
【手続補正３】
【補正対象書類名】明細書
【補正対象項目名】００３５
【補正方法】変更
【補正の内容】
【００３５】
可能な設計では、ネットワークデバイスは、
端末デバイスが第２のシンボルセット上で上りリンク情報を送出しないと決定するように構成された処理モジュールを更に含む。
【手続補正４】
【補正対象書類名】明細書
【補正対象項目名】００３９
【補正方法】変更
【補正の内容】
【００３９】
可能な設計では、端末デバイスは、
送出モジュールが第１のシンボルセット上で第１の上りリンク情報を送出する前に、第１のシンボルセット内の最初のシンボルの前のシンボル1内の第１の時間内に、端末デバイスがターゲットキャリアのチャネルにアクセスすることを許可されることを検出するように構成された処理モジュールを更に含む。
【手続補正５】
【補正対象書類名】明細書
【補正対象項目名】００４２
【補正方法】変更
【補正の内容】
【００４２】
可能な設計では、シンボル1は、第１のシンボルセット内の最初のシンボルに時間において隣接する。
【手続補正６】
【補正対象書類名】明細書
【補正対象項目名】００４５
【補正方法】変更
【補正の内容】
【００４５】
可能な設計では、アクセスネットワークデバイスは、
端末デバイスが少なくとも１つのシンボルセット又は第１のシンボルセットに隣接するシンボルセット上で上りリンク情報を送出しないと決定するように構成された処理モジュールを更に含む。
【手続補正７】
【補正対象書類名】明細書
【補正対象項目名】００５０
【補正方法】変更
【補正の内容】
【００５０】
可能な設計では、端末デバイスは、
送信機が第１のシンボルセットにより占有される時間内の第２の時間内に上りリンク情報を送出する前に、第１の時間の全部又は一部の中で、端末デバイスがターゲットキャリアのチャネルにアクセスすることを許可されることを検出するように構成されたプロセッサを更に含む。
【手続補正８】
【補正対象書類名】明細書
【補正対象項目名】００５６
【補正方法】変更
【補正の内容】
【００５６】
可能な設計では、アクセスネットワークデバイスは、
端末デバイスが第２のシンボルセット上で上りリンク情報を送出しないと決定するように構成されたプロセッサを更に含む。
【手続補正９】
【補正対象書類名】明細書
【補正対象項目名】００６０
【補正方法】変更
【補正の内容】
【００６０】
可能な設計では、端末デバイスは、
送信機が第１のシンボルセット上で第１の上りリンク情報を送出する前に、第１のシンボルセット内の最初のシンボルの前のシンボル1内の第１の時間内に、端末デバイスがターゲットキャリアのチャネルにアクセスすることを許可されることを検出するように構成されたプロセッサを更に含む。
【手続補正１０】
【補正対象書類名】明細書
【補正対象項目名】００６６
【補正方法】変更
【補正の内容】
【００６６】
可能な設計では、アクセスネットワークデバイスは、
端末デバイスが少なくとも１つのシンボルセット又は第１のシンボルセットに隣接するシンボルセット上で上りリンク情報を送出しないと決定するように構成されたプロセッサを更に含む。
【手続補正１１】
【補正対象書類名】明細書
【補正対象項目名】００７９
【補正方法】変更
【補正の内容】
【００７９】
アクセスネットワークデバイスが、端末デバイスに対して、ターゲットキャリアの第１のシンボルセット上で上りリンク情報を送出するように命令するために使用される指示情報を送出することは、アクセスネットワークデバイスが上りリンクスケジューリング許可を端末デバイスに送出することでもよい。上りリンクスケジューリング許可は、端末デバイスに対して、ターゲットキャリアの第１の上りリンクサブフレーム内の第１のシンボルセット上で上りリンク情報を送出するように命令するために使用される。上りリンクスケジューリング許可は、第１の上りリンクサブフレームのみに対応してもよく、すなわち、アクセスネットワークデバイスは、１つの上りリンクサブフレーム内で上りリンク情報を送出するように端末デバイスをスケジューリングするために、上りリンクスケジューリング許可を１回送出する。代替として、上りリンクスケジューリング許可は、複数の上りリンクサブフレームに対応してもよく、すなわち、アクセスネットワークデバイスは、複数の上りリンクサブフレーム内で上りリンク情報を送出するように端末デバイスをスケジューリングするために、上りリンクスケジューリング許可を１回送出する。アクセスネットワークデバイスが上りリンクスケジューリング許可を送出し、上りリンクスケジューリング許可がターゲットキャリアの第１の上りリンクサブフレーム内の第１のシンボルセット上で上りリンク情報を送出するように端末デバイスをスケジューリングするために使用される情報を有するという条件で、これは本発明のこの実施例では限定されない点に留意すべきである。
【手続補正１２】
【補正対象書類名】明細書
【補正対象項目名】００８２
【補正方法】変更
【補正の内容】
【００８２】
例えば、図３は、本発明による上りリンク情報送信方法の実施例１において、アクセスネットワークデバイスにより送出される指示情報を使用することにより、端末デバイスに対して、ターゲットキャリア上で上りリンク情報を送出するように命令するために使用されるシンボルセットの概略図である。図３に示すように、指示情報を使用することにより、端末デバイスに対して、ターゲットキャリアの第１のシンボルセット上で上りリンク情報を送出するように命令することに加えて、アクセスネットワークデバイスは、指示情報を使用することにより、端末デバイスに対して、第２のシンボルセット上で上りリンク情報を送出するように更に命令する。第２のシンボルセットに含まれるシンボル内の最後のシンボルは、第１のシンボルセット内の最初のシンボルに時間において隣接する。例えば、第２のシンボルセット内のシンボルは、第２の上りリンクサブフレーム内の第２〜第１４のシンボルを含み、第１のシンボルセット内のシンボルは、第１の上りリンクサブフレーム内の第１〜第１４のシンボルを含む。アクセスネットワークデバイスは、端末デバイスに対して、第１のシンボルセット上で第１のPUSCHを送出し、第２のシンボルセット上で第２のPUSCHを送出するように命令する。例えば、シンボル2は、第１の上りリンクサブフレーム内の第２のシンボルであり、第１のシンボルセット内のシンボルは、第１の上りリンクサブフレーム内の第３〜第１４のシンボルを含む。アクセスネットワークデバイスは、端末デバイスに対して、第２のシンボルセット上で第１のPUSCHを送出し、第２のシンボルセット上でSRSを送出するように命令する。
【国際調査報告】
2019512988.tif 000032
2019512988.tif 000033
2019512988.tif 000034
2019512988.tif 000035